(57)【要約】【課題】  ウエストサイズ調節機構付衣服において、見た目は通常のパンツ等と変わることなく、連続的にウエストサイズを変化できるとともに、ボタンがとれた場合にも容易に付け直しができること。【解決手段】  婦人用パンツ１は、下前ベルト部３に第２のボタンホールとしてのハトメ穴５が設けられて、下前ベルト部３内部に設けられた移動布に縫付けられたボタン４がハトメ穴５から外へ出てハトメ穴５内で移動可能で、上前ベルト部２のボタンホール６に係合すれば、ハトメ穴５は上前ベルト部２の下に隠れ、婦人用パンツ１は連続的にウエストサイズが変化してゆったりとした着用感が得られる。ハトメ穴５の円形部分５ａが原位置に復帰したときの移動布の中心付近に相当する位置にあるように設定されているため、ボタン４が取れた場合でも、円形部分５ａにおいて掬い縫いしてボタン４を縫付けることにより、移動布に確実にボタン４を付け直すことができる。【選択図】        図１
2006299465.tif 000002
【特許請求の範囲】
【請求項１】
衣服を分離自在に結合し、前記衣服のウエストサイズを所定の範囲で調節自在とする結合具と、
前記結合具により前記衣服のウエストサイズを調節自在とする範囲で形状変化を自在とし、前記衣服の上前に設けられた上下方向に伸びるタックと、
前記衣服の上前に設けられたタックに縫代となる一方のファスナーテープが縫付けられ、かつ、前記衣服の下前に縫代となる他方のファスナーテープが縫付けられたファスナーと、
前記衣服の下前ベルト部に弾性材を介してベルト方向に移動可能に取り付けられた所定長さの移動布と、
前記移動布に所定長さの糸足または根巻き（ボタンの糸足に硬く巻き付けて止めたもの）をとって縫付けられたボタンと、
前記衣服の下前ベルト部表地に設けられ、前記ボタンが裏側から表側に通されて、前記弾性材の弾性力に抗して前記移動布がベルト方向に移動するのに伴って前記ボタンが移動可能な第２のボタンホールとを具備し、
前記第２のボタンホールは前記衣服の上前から遠い側の端に円形部分が設けられたハトメ穴であり、前記円形部分は前記弾性材の弾性力によって原位置に復帰したときの前記移動布の中心付近に相当する位置にあって、
前記一方のファスナーテープの上端はスライディングテープ及びゴムテープによって前記衣服の上前の上端に縫付けられ、前記スライディングテープは外方向に傾斜した状態で縫付けられており、
前記結合具は、前記移動布に縫付けられ前記第２のボタンホールを通して表側に出されたボタンと、前記衣服の上前のベルト部に設けられたボタンホールとからなることを特徴とするウエストサイズ調節機構付衣服。
【請求項２】
衣服を分離自在に結合し、前記衣服のウエストサイズを所定の範囲で調節自在とする結合具と、
前記結合具により前記衣服のウエストサイズを調節自在とする範囲で形状変化を自在とし、前記衣服の上前に設けられた上下方向に伸びるタックと、
前記衣服の上前に設けられたタックに縫代となる一方のファスナーテープが縫付けられ、かつ、前記衣服の下前に縫代となる他方のファスナーテープが縫付けられたファスナーと、
前記衣服の下前ベルト部に弾性材を介してベルト方向に移動可能に取り付けられた所定長さの移動布と、
前記移動布に所定長さの糸足または根巻きをとって縫付けられたボタンと、
前記衣服の下前ベルト部表地に設けられ、前記ボタンが裏側から表側に通されて、前記弾性材の弾性力に抗して前記移動布がベルト方向に移動するのに伴って前記ボタンが移動可能な第２のボタンホールとを具備し、
前記第２のボタンホールは前記衣服の上前から遠い側の端に円形部分が設けられたハトメ穴であり、前記円形部分は前記弾性材の弾性力によって原位置に復帰したときの前記移動布の中心付近に相当する位置にあって、
前記一方のファスナーテープの上端は、外方向に向かって傾斜した状態で縫付けられており、
前記結合具は、前記移動布に縫付けられ前記第２のボタンホールを通して表側に出されたボタンと、前記衣服の上前のベルト部に設けられたボタンホールとからなることを特徴とするウエストサイズ調節機構付衣服。
【請求項３】
衣服を分離自在に結合し、前記衣服のウエストサイズを所定の範囲で調節自在とする結合具と、
前記結合具により前記衣服のウエストサイズを調節自在とする範囲で形状変化を自在とし、前記衣服の上前に縫付けられた上下方向に伸びる略筒状の調節布と、
前記衣服の下前ベルト部に弾性材を介してベルト方向に移動可能に取り付けられた所定長さの移動布と、
前記移動布に所定長さの糸足または根巻きをとって縫付けられたボタンと、
前記衣服の下前ベルト部表地に設けられ、前記ボタンが裏側から表側に通されて、前記弾性材の弾性力に抗して前記移動布がベルト方向に移動するのに伴って前記ボタンが移動可能な第２のボタンホールと、
前記衣服の上前に縫付けられた前記調節布に縫代となる一方のファスナーテープが縫付けられ、かつ、前記衣服の他方に縫代となる他のファスナーテープが縫付けられたファスナーとを具備し、
前記第２のボタンホールは前記衣服の上前から遠い側の端に円形部分が設けられたハトメ穴であり、前記円形部分は前記弾性材の弾性力によって原位置に復帰したときの前記移動布の中心付近に相当する位置にあって、
前記一方のファスナーテープの上端は、外方向に向かって傾斜した状態で縫付けられており、
前記結合具は、前記移動布に縫付けられ前記第２のボタンホールを通して表側に出されたボタンと、前記衣服の上前のベルト部に設けられたボタンホールとからなることを特徴とするウエストサイズ調節機構付衣服。
【請求項４】
衣服を分離自在に結合し、前記衣服のウエストサイズを所定の範囲で調節自在とする結合具と、
衣服の下前ベルト部に弾性材を介してベルト方向に移動可能に取り付けられた所定長さの移動布と、
前記移動布に所定長さの糸足または根巻きをとって縫付けられたボタンと、
前記衣服の下前ベルト部表地に設けられ、前記ボタンが裏側から表側に通されて、前記弾性材の弾性力に抗して前記移動布がベルト方向に移動するのに伴って前記ボタンが移動可能な第２のボタンホールとを具備し、
前記第２のボタンホールは前記衣服の上前から遠い側の端に円形部分が設けられたハトメ穴であり、前記円形部分は前記弾性材の弾性力によって原位置に復帰したときの前記移動布の中心付近に相当する位置にあって、
前記結合具は、前記移動布に縫付けられ前記第２のボタンホールを通して表側に出されたボタンと、前記衣服の上前のベルト部に設けられたボタンホールとからなることを特徴とするウエストサイズ調節機構付衣服。
【請求項５】
前記第２のボタンホールとしてのハトメ穴の円形部分に相当する前記衣服の下前ベルト部見返しに貫通穴としての菊穴またはリング穴が設けられたことを特徴とする請求項１乃至請求項４のいずれか１つに記載のウエストサイズ調節機構付衣服。
【請求項６】
衣服を分離自在に結合し、前記衣服のウエストサイズを所定の範囲で調節自在とする結合具と、
前記結合具により前記衣服のウエストサイズを調節自在とする範囲で形状変化を自在とし、前記衣服の上前に設けられた上下方向に伸びるタックと、
前記衣服の上前に設けられたタックに縫代となる一方のファスナーテープが縫付けられ、かつ、前記衣服の下前に縫代となる他方のファスナーテープが縫付けられたファスナーと、
前記衣服の下前ベルト部に弾性材を介してベルト方向に移動可能に取り付けられた所定長さの移動布と、
前記移動布に所定長さの糸足または根巻きをとって縫付けられたボタンと、
前記衣服の下前ベルト部表地に設けられ、前記ボタンが裏側から表側に通されて、前記弾性材の弾性力に抗して前記移動布がベルト方向に移動するのに伴って前記ボタンが移動可能な第２のボタンホールとを具備し、
前記弾性材の弾性力によって原位置に復帰したときの前記移動布の中心付近に相当する前記衣服の下前ベルト部見返しに貫通穴としての菊穴またはリング穴が設けられ、
前記一方のファスナーテープの上端はスライディングテープ及びゴムテープによって前記衣服の上前の上端に縫付けられ、前記スライディングテープは外方向に傾斜した状態で縫付けられており、
前記結合具は、前記移動布に縫付けられ前記第２のボタンホールを通して表側に出されたボタンと、前記衣服の上前のベルト部に設けられたボタンホールとからなることを特徴とするウエストサイズ調節機構付衣服。
【請求項７】
衣服を分離自在に結合し、前記衣服のウエストサイズを所定の範囲で調節自在とする結合具と、
前記結合具により前記衣服のウエストサイズを調節自在とする範囲で形状変化を自在とし、前記衣服の上前に設けられた上下方向に伸びるタックと、
前記衣服の上前に設けられたタックに縫代となる一方のファスナーテープが縫付けられ、かつ、前記衣服の下前に縫代となる他方のファスナーテープが縫付けられたファスナーと、
前記衣服の下前ベルト部に弾性材を介してベルト方向に移動可能に取り付けられた所定長さの移動布と、
前記移動布に所定長さの糸足または根巻きをとって縫付けられたボタンと、
前記衣服の下前ベルト部表地に設けられ、前記ボタンが裏側から表側に通されて、前記弾性材の弾性力に抗して前記移動布がベルト方向に移動するのに伴って前記ボタンが移動可能な第２のボタンホールとを具備し、
前記弾性材の弾性力によって原位置に復帰したときの前記移動布の中心付近に相当する前記衣服の下前ベルト部見返しに貫通穴としての菊穴またはリング穴が設けられ、
前記一方のファスナーテープの上端は、外方向に向かって傾斜した状態で縫付けられており、
前記結合具は、前記移動布に縫付けられ前記第２のボタンホールを通して表側に出されたボタンと、前記衣服の上前のベルト部に設けられたボタンホールとからなることを特徴とするウエストサイズ調節機構付衣服。
【請求項８】
衣服を分離自在に結合し、前記衣服のウエストサイズを所定の範囲で調節自在とする結合具と、
前記結合具により前記衣服のウエストサイズを調節自在とする範囲で形状変化を自在とし、前記衣服の上前に縫付けられた上下方向に伸びる略筒状の調節布と、
前記衣服の下前ベルト部に弾性材を介してベルト方向に移動可能に取り付けられた所定長さの移動布と、
前記移動布に所定長さの糸足または根巻きをとって縫付けられたボタンと、
前記衣服の下前ベルト部表地に設けられ、前記ボタンが裏側から表側に通されて、前記弾性材の弾性力に抗して前記移動布がベルト方向に移動するのに伴って前記ボタンが移動可能な第２のボタンホールと、
前記衣服の上前に縫付けられた前記調節布に縫代となる一方のファスナーテープが縫付けられ、かつ、前記衣服の他方に縫代となる他のファスナーテープが縫付けられたファスナーとを具備し、
前記弾性材の弾性力によって原位置に復帰したときの前記移動布の中心付近に相当する前記衣服の下前ベルト部見返しに貫通穴としての菊穴またはリング穴が設けられ、
前記一方のファスナーテープの上端は、外方向に向かって傾斜した状態で縫付けられており、
前記結合具は、前記移動布に縫付けられ前記第２のボタンホールを通して表側に出されたボタンと、前記衣服の上前のベルト部に設けられたボタンホールとからなることを特徴とするウエストサイズ調節機構付衣服。
【請求項９】
衣服を分離自在に結合し、前記衣服のウエストサイズを所定の範囲で調節自在とする結合具と、
衣服の下前ベルト部に弾性材を介してベルト方向に移動可能に取り付けられた所定長さの移動布と、
前記移動布に所定長さの糸足または根巻きをとって縫付けられたボタンと、
前記衣服の下前ベルト部表地に設けられ、前記ボタンが裏側から表側に通されて、前記弾性材の弾性力に抗して前記移動布がベルト方向に移動するのに伴って前記ボタンが移動可能な第２のボタンホールとを具備し、
前記弾性材の弾性力によって原位置に復帰したときの前記移動布の中心付近に相当する前記衣服の下前ベルト部見返しに貫通穴としての菊穴またはリング穴が設けられ、
前記結合具は、前記移動布に縫付けられ前記第２のボタンホールを通して表側に出されたボタンと、前記衣服の上前のベルト部に設けられたボタンホールとからなることを特徴とするウエストサイズ調節機構付衣服。
【請求項１０】
前記移動布は所定寸法の生地にほぼ同じ寸法の薄く硬い芯を貼り合わせ、及び／または周囲をロック縫いして縫い合わせてなることを特徴とする請求項１乃至請求項９のいずれか１つに記載のウエストサイズ調節機構付衣服。
【請求項１１】
前記弾性材には、その最大伸びを制限する伸び止め材を並設したことを特徴とする請求項１乃至請求項１０のいずれか１つに記載のウエストサイズ調節機構付衣服。
【請求項１２】
前記伸び止め材は、前記弾性材及び前記移動布に縫合わされて前記移動布から突出して前記衣服の下前ベルト部見返しに縫付けられており、全長に亘って長手方向両縁をロック縫いされていることを特徴とする請求項１乃至請求項１１のいずれか１つに記載のウエストサイズ調節機構付衣服。
【請求項１３】
前記移動布の上下方向への振れと前記第２のボタンホールからの噴き出しを防止するために前記下前ベルト部に縦テープの両端を縫付けて、前記移動布の裏側に横方向に一または二以上の噴き出し防止テープを前記縦テープの下を横方向に移動可能に通して縫付けたことを特徴とする請求項１乃至請求項１２のいずれか１つに記載のウエストサイズ調節機構付衣服。
【請求項１４】
前記移動布の上下方向への振れと前記第２のボタンホールからの噴き出しを防止するために前記下前ベルト部の前記上前のベルト部に設けられたボタンホールの位置に横テープの両端を縫付けて、前記移動布の裏側に縦方向に一または二以上の噴き出し防止テープを前記横テープの下を横方向に移動可能に通して縫付けたことを特徴とする請求項１乃至請求項１２のいずれか１つに記載のウエストサイズ調節機構付衣服。
【請求項１５】
前記結合具は、前記移動布に縫付けられ前記第２のボタンホールを通して表側に出された前記ボタンと前記衣服の上前のベルト部に設けられた前記ボタンホールと、前記上前のベルト部に取付けられた受構成体または鉤構成体と前記衣服の下前ベルト部の裏側に取付けられた鉤構成体または受構成体とからなることを特徴とする請求項１乃至請求項１４のいずれか１つに記載のウエストサイズ調節機構付衣服。
【請求項１６】
前記移動布と前記伸び止め材としてベルト部表地と同系色の裏地を用いたことを特徴とする請求項１乃至請求項１５のいずれか１つに記載のウエストサイズ調節機構付衣服。
【請求項１７】
前記衣服の下前ベルト部の上半分及び／または下半分及び／または移動布を硬めの芯で補強したことを特徴とする請求項１乃至請求項１６のいずれか１つに記載のウエストサイズ調節機構付衣服。
【発明の詳細な説明】
【技術分野】
【０００１】
本発明は、ズボン（パンツ）、スカート等の衣服において、ウエスト部分の分割部分を結合するボタンを取り付けたウエストサイズ調節機構付衣服に関するものであり、特に、着用する人の衣服のウエストサイズを調節できるウエストサイズ調節機構付ズボン、ウエストサイズ調節機構付スカート等のウエストサイズ調節機構付衣服に関するものであり、衣服全般に適用できるものである。
【背景技術】
【０００２】
本発明者は、先に、着用する人のウエストサイズに合わせてウエストサイズを調節できるとともに、着用する人のウエストサイズだけでなく腰近傍の寸法が多少変化しても、着用感や見栄えを損なわないズボン、スカート等のウエストサイズ調節機構付衣服であって、結合具としてボタン・ドット釦等も使用することができ、連続的にウエストサイズを変化させることができる状態とウエストサイズを固定した状態とを容易に切り替えられるウエストサイズ調節機構付衣服にかかる発明についての出願をしている（特許文献１）。
【０００３】
この発明のウエストサイズ調節機構付衣服においては、中央タブをゴムテープを介してズボン（パンツ）の下前ベルト部に取付け、ゴムテープはオーバーベルトで隠してベルト方向に移動可能な中央タブにボタンやドット釦等を取付け、上前のベルト部に対応するボタンホールやドット釦を設けて、さらに下前ベルト部にも直接ボタンやドット釦等を取付けることによって、中央タブのボタンやドット釦等を上前のベルト部のボタンホールやドット釦等に嵌合させた場合には、ウエストサイズはゴムテープが伸縮可能な範囲内でフリーサイズとなり、ゆったりとした着用感が得られる。また、下前ベルト部に直接取付けられたボタンやドット釦等を上前のベルト部のボタンホールやドット釦等に嵌合させた場合には、ウエストサイズが固定された状態となる。
【特許文献１】特開２００２−３３９１１３号公報
【発明の開示】
【発明が解決しようとする課題】
【０００４】
しかしながら、上記特許文献１に記載の発明においては、中央タブやオーバーベルトといった余分な部材が外から見えるため、見た目がすっきりとせず、人によっては見栄えを損なうと感じるという問題点があった。
【０００５】
そこで、本発明は、見た目は通常のズボン（パンツ）等の衣服と変わることなく、連続的にウエストサイズを変化させることができる、さらには連続的にウエストサイズを変化させることができる状態とウエストサイズを固定した状態とを容易に切り替えることができるとともに、ボタンがとれた場合にも容易に付け直しをすることができるウエストサイズ調節機構付衣服の提供を課題とするものである。
【課題を解決するための手段】
【０００６】
請求項１の発明にかかるウエストサイズ調節機構付衣服は、衣服を分離自在に結合し、前記衣服のウエストサイズを所定の範囲で調節自在とする結合具と、前記結合具により前記衣服のウエストサイズを調節自在とする範囲で形状変化を自在とし、前記衣服の上前に設けられた上下方向に伸びるタックと、前記衣服の上前に設けられたタックに縫代となる一方のファスナーテープが縫付けられ、かつ、前記衣服の下前に縫代となる他方のファスナーテープが縫付けられたファスナーと、前記衣服の下前ベルト部に弾性材を介してベルト方向に移動可能に取り付けられた所定長さの移動布と、前記移動布に所定長さの糸足または根巻き（ボタンの糸足に硬く巻き付けて止めたもの）をとって縫付けられたボタンと、前記衣服の下前ベルト部表地に設けられ、前記ボタンが裏側から表側に通されて、前記弾性材の弾性力に抗して前記移動布がベルト方向に移動するのに伴って前記ボタンが移動可能な第２のボタンホールとを具備し、前記第２のボタンホールは前記衣服の上前から遠い側の端に円形部分が設けられたハトメ穴であり、前記円形部分は前記弾性材の弾性力によって原位置に復帰したときの前記移動布の中心付近に相当する位置にあって、前記一方のファスナーテープの上端はスライディングテープ及びゴムテープによって前記衣服の上前の上端に縫付けられ、前記スライディングテープは外方向に傾斜した状態で縫付けられており、前記結合具は、前記移動布に縫付けられ前記第２のボタンホールを通して表側に出されたボタンと、前記衣服の上前のベルト部に設けられたボタンホールとからなるものである。
【０００７】
請求項２の発明にかかるウエストサイズ調節機構付衣服は、衣服を分離自在に結合し、前記衣服のウエストサイズを所定の範囲で調節自在とする結合具と、前記結合具により前記衣服のウエストサイズを調節自在とする範囲で形状変化を自在とし、前記衣服の上前に設けられた上下方向に伸びるタックと、前記衣服の上前に設けられたタックに縫代となる一方のファスナーテープが縫付けられ、かつ、前記衣服の下前に縫代となる他方のファスナーテープが縫付けられたファスナーと、前記衣服の下前ベルト部に弾性材を介してベルト方向に移動可能に取り付けられた所定長さの移動布と、前記移動布に所定長さの糸足または根巻きをとって縫付けられたボタンと、前記衣服の下前ベルト部表地に設けられ、前記ボタンが裏側から表側に通されて、前記弾性材の弾性力に抗して前記移動布がベルト方向に移動するのに伴って前記ボタンが移動可能な第２のボタンホールとを具備し、前記第２のボタンホールは前記衣服の上前から遠い側の端に円形部分が設けられたハトメ穴であり、前記円形部分は前記弾性材の弾性力によって原位置に復帰したときの前記移動布の中心付近に相当する位置にあって、前記一方のファスナーテープの上端は、外方向に向かって傾斜した状態で縫付けられており、前記結合具は、前記移動布に縫付けられ前記第２のボタンホールを通して表側に出されたボタンと、前記衣服の上前のベルト部に設けられたボタンホールとからなるものである。
【０００８】
請求項３の発明にかかるウエストサイズ調節機構付衣服は、衣服を分離自在に結合し、前記衣服のウエストサイズを所定の範囲で調節自在とする結合具と、前記結合具により前記衣服のウエストサイズを調節自在とする範囲で形状変化を自在とし、前記衣服の上前に縫付けられた上下方向に伸びる略筒状の調節布と、前記衣服の下前ベルト部に弾性材を介してベルト方向に移動可能に取り付けられた所定長さの移動布と、前記移動布に所定長さの糸足または根巻きをとって縫付けられたボタンと、前記衣服の下前ベルト部表地に設けられ、前記ボタンが裏側から表側に通されて、前記弾性材の弾性力に抗して前記移動布がベルト方向に移動するのに伴って前記ボタンが移動可能な第２のボタンホールと、前記衣服の上前に縫付けられた前記調節布に縫代となる一方のファスナーテープが縫付けられ、かつ、前記衣服の他方に縫代となる他のファスナーテープが縫付けられたファスナーとを具備し、前記第２のボタンホールは前記衣服の上前から遠い側の端に円形部分が設けられたハトメ穴であり、前記円形部分は前記弾性材の弾性力によって原位置に復帰したときの前記移動布の中心付近に相当する位置にあって、前記一方のファスナーテープの上端は、外方向に向かって傾斜した状態で縫付けられており、前記結合具は、前記移動布に縫付けられ前記第２のボタンホールを通して表側に出されたボタンと、前記衣服の上前のベルト部に設けられたボタンホールとからなるものである。
【０００９】
請求項４の発明にかかるウエストサイズ調節機構付衣服は、衣服を分離自在に結合し、前記衣服のウエストサイズを所定の範囲で調節自在とする結合具と、衣服の下前ベルト部に弾性材を介してベルト方向に移動可能に取り付けられた所定長さの移動布と、前記移動布に所定長さの糸足または根巻きをとって縫付けられたボタンと、前記衣服の下前ベルト部表地に設けられ、前記ボタンが裏側から表側に通されて、前記弾性材の弾性力に抗して前記移動布がベルト方向に移動するのに伴って前記ボタンが移動可能な第２のボタンホールとを具備し、前記第２のボタンホールは前記衣服の上前から遠い側の端に円形部分が設けられたハトメ穴であり、前記円形部分は前記弾性材の弾性力によって原位置に復帰したときの前記移動布の中心付近に相当する位置にあって、前記結合具は、前記移動布に縫付けられ前記第２のボタンホールを通して表側に出されたボタンと、前記衣服の上前のベルト部に設けられたボタンホールとからなるものである。
【００１０】
請求項５の発明にかかるウエストサイズ調節機構付衣服は、請求項１乃至請求項４のいずれか１つの構成において、前記第２のボタンホールとしてのハトメ穴の円形部分に相当する前記衣服の下前ベルト部見返しに貫通穴としての菊穴またはリング穴が設けられたものである。
【００１１】
請求項６の発明にかかるウエストサイズ調節機構付衣服は、衣服を分離自在に結合し、前記衣服のウエストサイズを所定の範囲で調節自在とする結合具と、前記結合具により前記衣服のウエストサイズを調節自在とする範囲で形状変化を自在とし、前記衣服の上前に設けられた上下方向に伸びるタックと、前記衣服の上前に設けられたタックに縫代となる一方のファスナーテープが縫付けられ、かつ、前記衣服の下前に縫代となる他方のファスナーテープが縫付けられたファスナーと、前記衣服の下前ベルト部に弾性材を介してベルト方向に移動可能に取り付けられた所定長さの移動布と、前記移動布に所定長さの糸足または根巻きをとって縫付けられたボタンと、前記衣服の下前ベルト部表地に設けられ、前記ボタンが裏側から表側に通されて、前記弾性材の弾性力に抗して前記移動布がベルト方向に移動するのに伴って前記ボタンが移動可能な第２のボタンホールとを具備し、前記弾性材の弾性力によって原位置に復帰したときの前記移動布の中心付近に相当する前記衣服の下前ベルト部見返しに貫通穴としての菊穴またはリング穴が設けられ、前記一方のファスナーテープの上端はスライディングテープ及びゴムテープによって前記衣服の上前の上端に縫付けられ、前記スライディングテープは外方向に傾斜した状態で縫付けられており、前記結合具は、前記移動布に縫付けられ前記第２のボタンホールを通して表側に出されたボタンと、前記衣服の上前のベルト部に設けられたボタンホールとからなるものである。
【００１２】
請求項７の発明にかかるウエストサイズ調節機構付衣服は、衣服を分離自在に結合し、前記衣服のウエストサイズを所定の範囲で調節自在とする結合具と、前記結合具により前記衣服のウエストサイズを調節自在とする範囲で形状変化を自在とし、前記衣服の上前に設けられた上下方向に伸びるタックと、前記衣服の上前に設けられたタックに縫代となる一方のファスナーテープが縫付けられ、かつ、前記衣服の下前に縫代となる他方のファスナーテープが縫付けられたファスナーと、前記衣服の下前ベルト部に弾性材を介してベルト方向に移動可能に取り付けられた所定長さの移動布と、前記移動布に所定長さの糸足または根巻きをとって縫付けられたボタンと、前記衣服の下前ベルト部表地に設けられ、前記ボタンが裏側から表側に通されて、前記弾性材の弾性力に抗して前記移動布がベルト方向に移動するのに伴って前記ボタンが移動可能な第２のボタンホールとを具備し、前記弾性材の弾性力によって原位置に復帰したときの前記移動布の中心付近に相当する前記衣服の下前ベルト部見返しに貫通穴としての菊穴またはリング穴が設けられ、前記一方のファスナーテープの上端は、外方向に向かって傾斜した状態で縫付けられており、前記結合具は、前記移動布に縫付けられ前記第２のボタンホールを通して表側に出されたボタンと、前記衣服の上前のベルト部に設けられたボタンホールとからなるものである。
【００１３】
請求項８の発明にかかるウエストサイズ調節機構付衣服は、衣服を分離自在に結合し、前記衣服のウエストサイズを所定の範囲で調節自在とする結合具と、前記結合具により前記衣服のウエストサイズを調節自在とする範囲で形状変化を自在とし、前記衣服の上前に縫付けられた上下方向に伸びる略筒状の調節布と、前記衣服の下前ベルト部に弾性材を介してベルト方向に移動可能に取り付けられた所定長さの移動布と、前記移動布に所定長さの糸足または根巻きをとって縫付けられたボタンと、前記衣服の下前ベルト部表地に設けられ、前記ボタンが裏側から表側に通されて、前記弾性材の弾性力に抗して前記移動布がベルト方向に移動するのに伴って前記ボタンが移動可能な第２のボタンホールと、前記衣服の上前に縫付けられた前記調節布に縫代となる一方のファスナーテープが縫付けられ、かつ、前記衣服の他方に縫代となる他のファスナーテープが縫付けられたファスナーとを具備し、前記弾性材の弾性力によって原位置に復帰したときの前記移動布の中心付近に相当する前記衣服の下前ベルト部見返しに貫通穴としての菊穴またはリング穴が設けられ、前記一方のファスナーテープの上端は、外方向に向かって傾斜した状態で縫付けられており、前記結合具は、前記移動布に縫付けられ前記第２のボタンホールを通して表側に出されたボタンと、前記衣服の上前のベルト部に設けられたボタンホールとからなるものである。
【００１４】
請求項９の発明にかかるウエストサイズ調節機構付衣服は、衣服を分離自在に結合し、前記衣服のウエストサイズを所定の範囲で調節自在とする結合具と、衣服の下前ベルト部に弾性材を介してベルト方向に移動可能に取り付けられた所定長さの移動布と、前記移動布に所定長さの糸足または根巻きをとって縫付けられたボタンと、前記衣服の下前ベルト部表地に設けられ、前記ボタンが裏側から表側に通されて、前記弾性材の弾性力に抗して前記移動布がベルト方向に移動するのに伴って前記ボタンが移動可能な第２のボタンホールとを具備し、前記弾性材の弾性力によって原位置に復帰したときの前記移動布の中心付近に相当する前記衣服の下前ベルト部見返しに貫通穴としての菊穴またはリング穴が設けられ、前記結合具は、前記移動布に縫付けられ前記第２のボタンホールを通して表側に出されたボタンと、前記衣服の上前のベルト部に設けられたボタンホールとからなるものである。
【００１５】
請求項１０の発明にかかるウエストサイズ調節機構付衣服は、請求項１乃至請求項９のいずれか１つの構成において、前記移動布は所定寸法の生地にほぼ同じ寸法の薄く硬い芯を貼り合わせ、及び／または周囲をロック縫いして縫い合わせてなるものである。
【００１６】
請求項１１の発明にかかるウエストサイズ調節機構付衣服は、請求項１乃至請求項１０のいずれか１つの構成において、前記弾性材には、その最大伸びを制限する伸び止め材を並設したものである。
【００１７】
請求項１２の発明にかかるウエストサイズ調節機構付衣服は、請求項１乃至請求項１１のいずれか１つの構成において、前記伸び止め材は、前記弾性材及び前記移動布に縫合わされて前記移動布から突出して前記衣服の下前ベルト部見返しに縫付けられており、全長に亘って長手方向両縁をロック縫いされているものである。
【００１８】
請求項１３の発明にかかるウエストサイズ調節機構付衣服は、請求項１乃至請求項１２のいずれか１つの構成において、前記移動布の上下方向への振れと前記第２のボタンホールからの噴き出しを防止するために前記下前ベルト部に縦テープの両端を縫付けて、前記移動布の裏側に横方向に一または二以上の噴き出し防止テープを前記縦テープの下を横方向に移動可能に通して縫付けたものである。
【００１９】
請求項１４の発明にかかるウエストサイズ調節機構付衣服は、請求項１乃至請求項１２のいずれか１つの構成において、前記移動布の上下方向への振れと前記第２のボタンホールからの噴き出しを防止するために前記下前ベルト部の前記上前のベルト部に設けられたボタンホールの位置に横テープの両端を縫付けて、前記移動布の裏側に縦方向に一または二以上の噴き出し防止テープを前記横テープの下を横方向に移動可能に通して縫付けたものである。
【００２０】
請求項１５の発明にかかるウエストサイズ調節機構付衣服は、請求項１乃至請求項１４のいずれか１つの構成において、前記結合具は、前記移動布に縫付けられ前記第２のボタンホールを通して表側に出された前記ボタンと前記衣服の上前のベルト部に設けられた前記ボタンホールと、前記上前のベルト部に取付けられた受構成体または鉤構成体と前記衣服の下前ベルト部の裏側に取付けられた鉤構成体または受構成体とからなるものである。
【００２１】
請求項１６の発明にかかるウエストサイズ調節機構付衣服は、請求項１乃至請求項１５のいずれか１つの構成において、前記移動布と前記伸び止め材としてベルト部表地と同系色の裏地を用いたものである。
【００２２】
請求項１７の発明にかかるウエストサイズ調節機構付衣服は、請求項１乃至請求項１６のいずれか１つの構成において、前記衣服の下前ベルト部の上半分及び／または下半分及び／または移動布を硬めの芯で補強したものである。
【発明の効果】
【００２３】
請求項１の発明にかかるウエストサイズ調節機構付衣服は、ウエストサイズの変化に伴ってファスナーテープが移動できるように、ファスナーテープを縫付けるズボン等の上前にタックを設けるとともに、下前ベルト部に弾性材を介してベルト方向に移動可能に取り付けられた所定長さの移動布にボタンを縫付け、下前ベルト部表地に設けられたハトメ穴形状の第２のボタンホールからボタンを表に出し、上前のベルト部に設けられたボタンホールにボタンを係合することによって、弾性材が伸縮可能な範囲内でボタンが第２のボタンホール内を移動してフリーサイズとなり、ゆったりとした着用感が得られる。そして、ハトメ穴形状の第２のボタンホールは、ボタンを上前のベルト部のボタンホールに係合することによって隠れるので、見た目は通常の衣服と何等変わるところがない。しかも、ウエストサイズの変化に伴ってファスナーテープが移動するため、ウエスト近傍に皺等が生じることもない。
【００２４】
ここで、一方のファスナーテープの上端は、上前ベルト部の裏地の内側でスライディングテープ及びゴムテープによって上前の上端に縫付けられている。スライディングテープは、上前の端縁の外方向に向かって傾斜した状態で上前ベルト部の内側に挟んで縫付けられている。そして、上前ベルト部には穴かがりされたボタンホールが設けられるが、ボタンホールは上前ベルト部内に取付けられたスライディングテープ及びゴムテープの一部を貫通しており、ボタンホールの穴かがりによってスライディングテープ及びゴムテープも共に縫付けられてしまう。しかし、本発明のウエストサイズ調節機構付衣服においては、一方のファスナーテープがスライディングテープのみでなくゴムテープによっても支持されているため、タックの折り重なり部分が引き延ばされる際には、ゴムテープの伸縮力によって一方のファスナーテープもそれにつれて移動することができる。このように、上前ベルト部にボタンホールを設けて穴かがりをしても一方のファスナーテープの移動を妨げることがない。
【００２５】
さらに、第２のボタンホールを衣服の上前から遠い側の端に円形部分が設けられたハトメ穴として、円形部分が弾性材の弾性力によって原位置に復帰したときの移動布の中心付近に相当する位置にあるようにしたことによって、ボタンが取れた場合でも第２のボタンホールの円形部分において掬い縫いしてボタンを縫付けることにより、移動布の中心付近に確実にボタンを付け直すことができるため、ボタンが取れた場合にボタンを付け直す位置を探す必要がなく、容易にボタンの付け直しを行うことができる。
【００２６】
このようにして、見た目は通常の衣服と変わることなく、見栄え良く連続的にウエストサイズを変化させることができるとともに、ボタンがとれた場合にも容易に付け直しをすることができるウエストサイズ調節機構付衣服となる。
【００２７】
請求項２の発明にかかるウエストサイズ調節機構付衣服は、ウエストサイズの変化に伴ってファスナーテープが移動できるように、ファスナーテープを縫付けるズボン等の上前にタックを設けるとともに、下前ベルト部に弾性材を介してベルト方向に移動可能に取り付けられた所定長さの移動布にボタンを縫付け、下前ベルト部表地に設けられたハトメ穴形状の第２のボタンホールからボタンを表に出し、上前のベルト部に設けられたボタンホールにボタンを係合することによって、弾性材が伸縮可能な範囲内でボタンが第２のボタンホール内を移動してフリーサイズとなり、ゆったりとした着用感が得られる。そして、ハトメ穴形状の第２のボタンホールは、ボタンを上前のベルト部のボタンホールに係合することによって隠れるので、見た目は通常の衣服と何等変わるところがない。しかも、ウエストサイズの変化に伴ってファスナーテープが移動するため、ウエスト近傍に皺等が生じることもない。
【００２８】
ここで、一方のファスナーテープの上端は、外方向に向かって傾斜した状態で縫付けられているため、タックの折り重なり部分が引き延ばされる際には、一方のファスナーテープもそれにつれて移動することができる。さらに、スライディングテープが設けられていないために、上前ベルト部にボタンホールを設けて穴かがりをしても一方のファスナーテープの移動を妨げることがない。
【００２９】
さらに、第２のボタンホールを衣服の上前から遠い側の端に円形部分が設けられたハトメ穴として、円形部分が弾性材の弾性力によって原位置に復帰したときの移動布の中心付近に相当する位置にあるようにしたことによって、ボタンが取れた場合でも第２のボタンホールの円形部分において掬い縫いしてボタンを縫付けることにより、移動布の中心付近に確実にボタンを付け直すことができるため、ボタンが取れた場合にボタンを付け直す位置を探す必要がなく、容易にボタンの付け直しを行うことができる。
【００３０】
このようにして、見た目は通常の衣服と変わることなく、見栄え良く連続的にウエストサイズを変化させることができるとともに、ボタンがとれた場合にも容易に付け直しをすることができるウエストサイズ調節機構付衣服となる。
【００３１】
請求項３の発明にかかるウエストサイズ調節機構付衣服は、ウエストサイズの変化に伴ってファスナーテープが移動できるように、ファスナーテープを縫付けるズボン等の上前に略円筒形状の調節布を縫付けるとともに、下前ベルト部に弾性材を介してベルト方向に移動可能に取り付けられた所定長さの移動布にボタンを縫付け、下前ベルト部表地に設けられたハトメ穴形状の第２のボタンホールからボタンを表に出し、上前のベルト部に設けられたボタンホールにボタンを係合することによって、弾性材が伸縮可能な範囲内でボタンが第２のボタンホール内を移動してフリーサイズとなり、ゆったりとした着用感が得られる。そして、ハトメ穴形状の第２のボタンホールは、ボタンを上前のベルト部のボタンホールに係合することによって隠れるので、見た目は通常の衣服と何等変わるところがない。しかも、ウエストサイズの変化に伴ってファスナーテープが移動するため、ウエスト近傍に皺等が生じることもない。
【００３２】
ここで、一方のファスナーテープの上端は、外方向に向かって傾斜した状態で縫付けられているため、略円筒形状の調節布が変形する際には、一方のファスナーテープもそれにつれて移動することができる。さらに、スライディングテープが設けられていないために、上前ベルト部にボタンホールを設けて穴かがりをしても一方のファスナーテープの移動を妨げることがない。
【００３３】
さらに、第２のボタンホールを衣服の上前から遠い側の端に円形部分が設けられたハトメ穴として、円形部分が弾性材の弾性力によって原位置に復帰したときの移動布の中心付近に相当する位置にあるようにしたことによって、ボタンが取れた場合でも第２のボタンホールの円形部分において掬い縫いしてボタンを縫付けることにより、移動布の中心付近に確実にボタンを付け直すことができるため、ボタンが取れた場合にボタンを付け直す位置を探す必要がなく、容易にボタンの付け直しを行うことができる。
【００３４】
このようにして、見た目は通常の衣服と変わることなく、見栄え良く連続的にウエストサイズを変化させることができるとともに、ボタンがとれた場合にも容易に付け直しをすることができるウエストサイズ調節機構付衣服となる。
【００３５】
請求項４の発明にかかるウエストサイズ調節機構付衣服は、下前ベルト部に弾性材を介してベルト方向に移動可能に取り付けられた所定長さの移動布にボタンを縫付け、下前ベルト部表地に設けられたハトメ穴形状の第２のボタンホールからボタンを表に出し、上前のベルト部に設けられたボタンホールにボタンを係合することによって、弾性材が伸縮可能な範囲内でボタンが第２のボタンホール内を移動してフリーサイズとなり、ゆったりとした着用感が得られる。そして、ハトメ穴形状の第２のボタンホールは、ボタンを上前のベルト部のボタンホールに係合することによって隠れるので、見た目は通常の衣服と何等変わるところがない。
【００３６】
さらに、第２のボタンホールを衣服の上前から遠い側の端に円形部分が設けられたハトメ穴として、円形部分が弾性材の弾性力によって原位置に復帰したときの移動布の中心付近に相当する位置にあるようにしたことによって、ボタンが取れた場合でも第２のボタンホールの円形部分において掬い縫いしてボタンを縫付けることにより、移動布の中心付近に確実にボタンを付け直すことができるため、ボタンが取れた場合にボタンを付け直す位置を探す必要がなく、容易にボタンの付け直しを行うことができる。
【００３７】
このようにして、見た目は通常の衣服と変わることなく、見栄え良く連続的にウエストサイズを変化させることができるとともに、ボタンがとれた場合にも容易に付け直しをすることができるウエストサイズ調節機構付衣服となる。
【００３８】
請求項５の発明にかかるウエストサイズ調節機構付衣服は、第２のボタンホールとしてのハトメ穴の円形部分に相当する衣服の下前ベルト部見返しに貫通穴としての菊穴またはリング穴が設けられたものである。
【００３９】
これによって、ボタンが取れた場合でも第２のボタンホールの円形部分に相当する位置にある貫通穴としての菊穴またはリング穴を目安として、ぶち抜きで針を通してボタンを付け直すことができるため、ボタンがより付け易く、かつより丈夫に付けることができる。
【００４０】
このようにして、見た目は通常の衣服と変わることなく、見栄え良く連続的にウエストサイズを変化させることができるとともに、ボタンがとれた場合にもより容易に、かつ丈夫に付け直しをすることができるウエストサイズ調節機構付衣服となる。
【００４１】
請求項６の発明にかかるウエストサイズ調節機構付衣服は、ウエストサイズの変化に伴ってファスナーテープが移動できるように、ファスナーテープを縫付けるズボン等の上前にタックを設けるとともに、下前ベルト部に弾性材を介してベルト方向に移動可能に取り付けられた所定長さの移動布にボタンを縫付け、下前ベルト部表地に設けられた第２のボタンホールからボタンを表に出し、上前のベルト部に設けられたボタンホールにボタンを係合することによって、弾性材が伸縮可能な範囲内でボタンが第２のボタンホール内を移動してフリーサイズとなり、ゆったりとした着用感が得られる。そして、第２のボタンホールは、ボタンを上前のベルト部のボタンホールに係合することによって隠れるので、見た目は通常の衣服と何等変わるところがない。しかも、ウエストサイズの変化に伴ってファスナーテープが移動するため、ウエスト近傍に皺等が生じることもない。
【００４２】
ここで、第２のボタンホールは、バチ穴のような眠り穴等を始めとしてどのような形状のものでも良い。
【００４３】
また、一方のファスナーテープの上端は、上前ベルト部の裏地の内側でスライディングテープ及びゴムテープによって上前の上端に縫付けられている。スライディングテープは、上前の端縁の外方向に向かって傾斜した状態で上前ベルト部の内側に挟んで縫付けられている。そして、上前ベルト部には穴かがりされたボタンホールが設けられるが、ボタンホールは上前ベルト部内に取付けられたスライディングテープ及びゴムテープの一部を貫通しており、ボタンホールの穴かがりによってスライディングテープ及びゴムテープも共に縫付けられてしまう。しかし、本発明のウエストサイズ調節機構付衣服においては、一方のファスナーテープがスライディングテープのみでなくゴムテープによっても支持されているため、タックの折り重なり部分が引き延ばされる際には、ゴムテープの伸縮力によって一方のファスナーテープもそれにつれて移動することができる。このように、上前ベルト部にボタンホールを設けて穴かがりをしても一方のファスナーテープの移動を妨げることがない。
【００４４】
そして、弾性材の弾性力によって原位置に復帰したときの移動布の中心付近に相当する衣服の下前ベルト部見返しに貫通穴としての菊穴またはリング穴が設けられているため、ボタンが取れた場合でも貫通穴としての菊穴またはリング穴を目安として、ぶち抜きで針を通してボタンを付け直すことができ、ボタンがより付け易く、かつより丈夫に付けることができる。
【００４５】
このようにして、見た目は通常の衣服と変わることなく、見栄え良く連続的にウエストサイズを変化させることができるとともに、ボタンがとれた場合にもより容易に、かつ丈夫に付け直しをすることができるウエストサイズ調節機構付衣服となる。
【００４６】
請求項７の発明にかかるウエストサイズ調節機構付衣服は、ウエストサイズの変化に伴ってファスナーテープが移動できるように、ファスナーテープを縫付けるズボン等の上前にタックを設けるとともに、下前ベルト部に弾性材を介してベルト方向に移動可能に取り付けられた所定長さの移動布にボタンを縫付け、下前ベルト部表地に設けられた第２のボタンホールからボタンを表に出し、上前のベルト部に設けられたボタンホールにボタンを係合することによって、弾性材が伸縮可能な範囲内でボタンが第２のボタンホール内を移動してフリーサイズとなり、ゆったりとした着用感が得られる。そして、第２のボタンホールは、ボタンを上前のベルト部のボタンホールに係合することによって隠れるので、見た目は通常の衣服と何等変わるところがない。しかも、ウエストサイズの変化に伴ってファスナーテープが移動するため、ウエスト近傍に皺等が生じることもない。
【００４７】
ここで、一方のファスナーテープの上端は、外方向に向かって傾斜した状態で縫付けられているため、タックの折り重なり部分が引き延ばされる際には、一方のファスナーテープもそれにつれて移動することができる。さらに、スライディングテープが設けられていないために、上前ベルト部にボタンホールを設けて穴かがりをしても一方のファスナーテープの移動を妨げることがない。
【００４８】
また、第２のボタンホールは、バチ穴のような眠り穴等を始めとしてどのような形状のものでも良い。
【００４９】
そして、弾性材の弾性力によって原位置に復帰したときの移動布の中心付近に相当する衣服の下前ベルト部見返しに貫通穴としての菊穴またはリング穴が設けられているため、ボタンが取れた場合でも貫通穴としての菊穴またはリング穴を目安として、ぶち抜きで針を通してボタンを付け直すことができ、ボタンがより付け易く、かつより丈夫に付けることができる。
【００５０】
このようにして、見た目は通常の衣服と変わることなく、見栄え良く連続的にウエストサイズを変化させることができるとともに、ボタンがとれた場合にもより容易に、かつ丈夫に付け直しをすることができるウエストサイズ調節機構付衣服となる。
【００５１】
請求項８の発明にかかるウエストサイズ調節機構付衣服は、ウエストサイズの変化に伴ってファスナーテープが移動できるように、ファスナーテープを縫付けるズボン等の上前に略円筒形状の調節布を縫付けるとともに、下前ベルト部に弾性材を介してベルト方向に移動可能に取り付けられた所定長さの移動布にボタンを縫付け、下前ベルト部表地に設けられた第２のボタンホールからボタンを表に出し、上前のベルト部に設けられたボタンホールにボタンを係合することによって、弾性材が伸縮可能な範囲内でボタンが第２のボタンホール内を移動してフリーサイズとなり、ゆったりとした着用感が得られる。そして、第２のボタンホールは、ボタンを上前のベルト部のボタンホールに係合することによって隠れるので、見た目は通常の衣服と何等変わるところがない。しかも、ウエストサイズの変化に伴ってファスナーテープが移動するため、ウエスト近傍に皺等が生じることもない。
【００５２】
ここで、一方のファスナーテープの上端は、外方向に向かって傾斜した状態で縫付けられているため、略円筒形状の調節布が変形する際には、一方のファスナーテープもそれにつれて移動することができる。さらに、スライディングテープが設けられていないために、上前ベルト部にボタンホールを設けて穴かがりをしても一方のファスナーテープの移動を妨げることがない。
【００５３】
また、第２のボタンホールは、バチ穴のような眠り穴等を始めとしてどのような形状のものでも良い。
【００５４】
そして、弾性材の弾性力によって原位置に復帰したときの移動布の中心付近に相当する衣服の下前ベルト部見返しに貫通穴としての菊穴またはリング穴が設けられているため、ボタンが取れた場合でも貫通穴としての菊穴またはリング穴を目安として、ぶち抜きで針を通してボタンを付け直すことができ、ボタンがより付け易く、かつより丈夫に付けることができる。
【００５５】
このようにして、見た目は通常の衣服と変わることなく、見栄え良く連続的にウエストサイズを変化させることができるとともに、ボタンがとれた場合にもより容易に、かつ丈夫に付け直しをすることができるウエストサイズ調節機構付衣服となる。
【００５６】
請求項９の発明にかかるウエストサイズ調節機構付衣服は、下前ベルト部に弾性材を介してベルト方向に移動可能に取り付けられた所定長さの移動布にボタンを縫付け、下前ベルト部表地に設けられた第２のボタンホールからボタンを表に出し、上前のベルト部に設けられたボタンホールにボタンを係合することによって、弾性材が伸縮可能な範囲内でボタンが第２のボタンホール内を移動してフリーサイズとなり、ゆったりとした着用感が得られる。そして、第２のボタンホールは、ボタンを上前のベルト部のボタンホールに係合することによって隠れるので、見た目は通常の衣服と何等変わるところがない。
【００５７】
ここで、第２のボタンホールは、バチ穴のような眠り穴等を始めとしてどのような形状のものでも良い。
【００５８】
そして、弾性材の弾性力によって原位置に復帰したときの移動布の中心付近に相当する衣服の下前ベルト部見返しに貫通穴としての菊穴またはリング穴が設けられているため、ボタンが取れた場合でも貫通穴としての菊穴またはリング穴を目安として、ぶち抜きで針を通してボタンを付け直すことができ、ボタンがより付け易く、かつより丈夫に付けることができる。
【００５９】
このようにして、見た目は通常の衣服と変わることなく、見栄え良く連続的にウエストサイズを変化させることができるとともに、ボタンがとれた場合にもより容易に、かつ丈夫に付け直しをすることができるウエストサイズ調節機構付衣服となる。
【００６０】
請求項１０の発明にかかるウエストサイズ調節機構付衣服は、移動布が所定寸法の生地にほぼ同じ寸法の硬くて薄い芯を貼り合わせ、及び／または周囲をロック縫いして縫い合わせてなる。これによって、移動布が薄くて丈夫なものとなるため、ベルト部内をスムーズに移動することができ、見た目は通常の衣服と変わることなく、見栄え良く連続的にウエストサイズを変化させることができるとともに、ボタンがとれた場合にもより容易に、かつ丈夫に付け直しをすることができるウエストサイズ調節機構付衣服となる。さらに、移動布が薄く硬い芯で補強されることによって噴き出しが防止される。
【００６１】
請求項１１の発明にかかるウエストサイズ調節機構付衣服は、弾性材には、その最大伸びを制限する伸び止め材を並設したものである。
【００６２】
したがって、ボタンが移動可能な第２のボタンホールの長さ以上に引張られないように弾性材の伸びの長さを制限することができるから、皺がよったりしてウエスト周りの見栄えが損なわれることがない。また、弾性材に過度の引っ張り力がかかるのを防止することができるから、弾性材の寿命が長くなる。
【００６３】
このようにして、見た目は通常の衣服と変わることなく、連続的にウエストサイズを変化させることができるとともに弾性材の寿命を長くすることができ、ボタンがとれた場合にもより容易に、かつ丈夫に付け直しをすることができるウエストサイズ調節機構付衣服となる。
【００６４】
請求項１２の発明にかかるウエストサイズ調節機構付衣服は、伸び止め材が、弾性材及び移動布に縫合わされて移動布から突出して衣服の下前ベルト部見返しに縫付けられており、全長に亘って長手方向両縁をロック縫いされている。
【００６５】
このように、伸び止め材をベースにしてその上に弾性材及び移動布を縫付けることによって、移動布ユニットをより容易に製造することができ、さらに伸び止め材が全長に亘って長手方向両縁をロック縫いされていることによって、薄い一枚の生地で伸び止め材を構成することができ、移動布から突出した部分は引張り部材として機能するため、薄いことによってベルト部内をスムーズに移動することができる。
【００６６】
このようにして、見た目は通常の衣服と変わることなく、連続的にウエストサイズを変化させることができるとともに、ボタンがとれた場合にもより容易に、かつ丈夫に付け直しをすることができるウエストサイズ調節機構付衣服となる。
【００６７】
請求項１３の発明にかかるウエストサイズ調節機構付衣服は、移動布の上下方向への振れと第２のボタンホールからの噴き出しを防止するために下前ベルト部に縦テープの両端を縫付けて、移動布の裏側に横方向に一または二以上の噴き出し防止テープを縦テープの下を横方向に移動可能に通して縫付けたものである。したがって、ボタンに無理な力が掛かって上方に引張られても、ボタンが縫付けられている移動布や弾性材が第２のボタンホールから外へ引き出されてしまう所謂「噴き出し」が防止される。
【００６８】
このようにして、見栄え良く連続的にウエストサイズを変化させることができるとともに噴き出しを防止することができ、ボタンがとれた場合にもより容易に、かつ丈夫に付け直しをすることができるウエストサイズ調節機構付衣服となる。
【００６９】
請求項１４の発明にかかるウエストサイズ調節機構付衣服は、移動布の上下方向への振れと第２のボタンホールからの噴き出しを防止するために下前ベルト部の上前のベルト部に設けられたボタンホールの位置に横テープの両端を縫付けて、移動布の裏側に縦方向に一または二以上の噴き出し防止テープを横テープの下を横方向に移動可能に通して縫付けたものである。したがって、ボタンに無理な力が掛かって上方に引張られても、ボタンが縫付けられている移動布や弾性材が第２のボタンホールから外へ引き出されてしまう噴き出しが防止される。
【００７０】
このようにして、見栄え良く連続的にウエストサイズを変化させることができるとともに噴き出しを防止することができ、ボタンがとれた場合にもより容易に、かつ丈夫に付け直しをすることができるウエストサイズ調節機構付衣服となる。
【００７１】
請求項１５の発明にかかるウエストサイズ調節機構付衣服は、結合具が、移動布に縫付けられ第２のボタンホールを通して表側に出されたボタンと衣服の上前のベルト部に設けられたボタンホールと、上前のベルト部に取付けられた受構成体または鉤構成体と衣服の下前ベルト部の裏側に取付けられた鉤構成体または受構成体とからなるものである。
【００７２】
したがって、ボタンとボタンホールのみを嵌合させた場合には、弾性材の伸縮可能な範囲内で連続的にウエストサイズを変化させることができる（フリーサイズ）。また、下前または上前のベルト部に取り付けられた鉤構成体を上前または下前ベルト部に取り付けられた受構成体に係止した場合には、ウエストサイズは一定のサイズに固定される。
【００７３】
このようにして、見た目は通常の衣服と変わることなく、連続的にウエストサイズを変化させることができるフリーサイズ状態とウエストサイズを固定した状態とを容易に切り替えることができ、ボタンがとれた場合にもより容易に、かつ丈夫に付け直しをすることができるウエストサイズ調節機構付衣服となる。
【００７４】
請求項１６の発明にかかるウエストサイズ調節機構付衣服は、移動布と伸び止め材としてベルト部表地と同系色の裏地を用いたものである。裏地は滑りが良く薄手なので嵩張らないため、弾性材の伸縮と移動布の移動が極めてスムーズに行われる。また、ベルト部表地と同系色としたため、衣服の前明を開いて第２のボタンホールが見えた場合でも内部の移動布や伸び止め材が目立たないため、見栄えを損なわずに済む。
【００７５】
このようにして、弾性材の伸縮と移動布の移動が極めてスムーズに行われ、第２のボタンホールが目立たないとともに、ボタンがとれた場合にもより容易に、かつ丈夫に付け直しをすることができるウエストサイズ調節機構付衣服となる。
【００７６】
請求項１７の発明にかかるウエストサイズ調節機構付衣服は、衣服の下前ベルト部の上半分及び／または下半分及び／または移動布を硬めの芯で補強したものである。これによって、移動布の移動がスムーズになり、また移動布が弾性材の伸びる方向に移動したときに衣服の下前ベルト部に皺がよることが防止される。さらに、上半分及び／または移動布を硬めの芯で補強することによって噴き出しが防止される。
【００７７】
このようにして、弾性材の伸縮と移動布の移動が極めてスムーズに行われ、見た目は通常の衣服と変わることなく、連続的にウエストサイズを変化させることができるとともに、ボタンがとれた場合にもより容易に、かつ丈夫に付け直しをすることができるウエストサイズ調節機構付衣服となる。
【発明を実施するための最良の形態】
【００７８】
以下、本発明の実施の形態について、図面を参照しつつ説明する。本発明のウエストサイズ調節機構付衣服は、主に婦人用ズボン（婦人用パンツ）に適用されるものであるが、紳士用ズボンにも適用することができる。
【００７９】
実施の形態１
まず、本発明の実施の形態１について、図１乃至図１２を参照して説明する。本発明の実施の形態１は、本発明のウエストサイズ調節機構付衣服を主に婦人用パンツに適用した場合を例示するものである。
【００８０】
図１（ａ）は本発明の実施の形態１にかかるウエストサイズ調節機構付衣服の前明を外した状態を示す部分正面図、（ｂ），（ｃ），（ｄ），（ｅ）は本発明の実施の形態１にかかるウエストサイズ調節機構付衣服の様々な変形例を示す図である。図２は本発明の実施の形態１にかかるウエストサイズ調節機構付衣服の上前部分の構造を示す説明図である。図３は本発明の実施の形態１にかかるウエストサイズ調節機構付衣服における上前部分に設けられたタックの構造を示す斜視図である。図４は本発明の実施の形態１にかかるウエストサイズ調節機構付衣服の第１変形例のタック部分の構造を示す斜視図である。
【００８１】
図５は本発明の実施の形態１にかかるウエストサイズ調節機構付衣服の第１変形例のファスナー部分の構造を示す図である。図６は本発明の実施の形態１にかかるウエストサイズ調節機構付衣服の第２変形例のファスナー部分の構造を示す図である。図７（ａ）は本発明の実施の形態１にかかるウエストサイズ調節機構付衣服の移動布ユニットを作製するための部品を示す図、（ｂ）は移動布ユニットの完成状態を示す図である。図８（ａ），（ｂ），（ｃ）は本発明の実施の形態１にかかるウエストサイズ調節機構付衣服の下前ベルト部の作製方法を裏側から見て示す図である。
【００８２】
図９（ａ），（ｂ），（ｃ），（ｄ），（ｅ）は本発明の実施の形態１にかかるウエストサイズ調節機構付衣服の下前ベルト部の種々の変形例を示す図である。図１０（ａ），（ｂ）は本発明の実施の形態１にかかるウエストサイズ調節機構付衣服の下前ベルト部を表側から見たところを示す図である。図１１（ａ），（ｂ）は本発明の実施の形態１にかかる下前ベルト部に設けられる移動布ユニットの変形例を示す図である。図１２（ａ），（ｂ）は本発明の実施の形態１にかかるウエストサイズ調節機構付衣服の前明を外した状態を裏側から見たところを示す図、（ｂ）は本発明の実施の形態１の変形例にかかるウエストサイズ調節機構付衣服の前明を外した状態を裏側から見たところを示す図である。
【００８３】
図１（ａ）に示されるように、本実施の形態１にかかるウエストサイズ調節機構付衣服としての婦人用パンツ１は、上前ベルト部２に通常のボタンホール（バチ穴（眠り穴の１種）またはハトメ穴）６が設けられ、下前ベルト部３に第２のボタンホールとしてのハトメ穴５が設けられて、下前ベルト部３内部に設けられた移動布に縫付けられたボタン４（直径１．５ｃｍ）が第２のボタンホール５から外へ出ており、ボタン４は第２のボタンホール５内で移動可能となっている。そして、この第２のボタンホールとしてのハトメ穴５の円形部分５ａが、弾性材の弾性力によって原位置に復帰したときの移動布の中心付近に相当する位置にある。
【００８４】
このボタン４を上前ベルト部２のボタンホール６に係合して、下前にファスナーテープＦａが縫付けられたファスナーＦｂを上前に縫付けられた図示しないファスナーと合わせて閉じることによって、婦人用パンツ１は連続的にウエストサイズが変化してゆったりとした着用感が得られる。そして、第２のボタンホール５は、ボタン４を上前ベルト部２のボタンホール６に係合することによって隠れるので、見た目は通常のパンツと何等変わるところがない。しかも、後で詳しく説明するように、ウエストサイズの変化に伴って上前のファスナーテープが移動するため、ウエスト近傍に皺等が生じることもない。
【００８５】
そして、この第２のボタンホールとしてのハトメ穴５の円形部分５ａが、弾性材の弾性力によって原位置に復帰したときの移動布の中心付近に相当する位置にあるようにしたことによって、ボタン４が取れた場合でも第２のボタンホール５の円形部分５ａにおいて掬い縫いしてボタン４を縫付けることにより、移動布の中心付近に確実にボタン４を付け直すことができるため、ボタン４が取れた場合にボタン４を付け直す位置を探す必要がなく、容易にボタンの付け直しを行うことができる。
【００８６】
図１（ｂ），（ｃ），（ｄ），（ｅ）は婦人用パンツ１の変形例を示すもので、図１（ｂ）に示されるように、婦人用パンツ１Ｂは下前ベルト部３に２．５ｃｍの持ち出しを付けて、その持ち出し部分に鉤構成体としてのカギホックの雄側（ホック）８を縫付け、対応する上前ベルト部２の裏側には受構成体としてのカギホックの雌側（メンカン）７を縫付けてあり、両者を嵌合させることによって連続的にウエストサイズが変化する状態から容易にウエストサイズが固定された状態に切り替えられる。なお、第２のボタンホール５の長さは１．５ｃｍであるため、第２のボタンホール５は上前ベルト部２に隠されて見えない。
【００８７】
図１（ｃ）に示されるように、婦人用パンツ１Ｃも下前ベルト部３に２．５ｃｍの持ち出しを付けて、同様にメンカン７とホック８が縫付けられており、さらに上前ベルト部２には三角形のポイント９を設けている。これによって、第２のボタンホール５の長さは２．０ｃｍであるが、ウエストサイズが変化して上前ベルト部２が移動しても、第２のボタンホール５はポイント９に隠されて外からは見えない。そして、メンカン７とホック８を嵌合させることによって連続的にウエストサイズが変化する状態から容易にウエストサイズが固定された状態に切り替えられる。
【００８８】
図１（ｄ）に示されるように、婦人用パンツ１Ｄも下前ベルト部３に２．５ｃｍの持ち出しを付けて、同様にメンカン７とホック８が縫付けられているが、第２のボタンホール５の長さが２．５ｃｍとさらに長くなっているにも関わらず、上前ベルト部２にはポイントが設けられていない。したがって、メンカン７とホック８を嵌合させた状態において、上前ベルト部２の下から第２のボタンホール５の一部が見えてしまう。しかし、この程度見えても気にならないという顧客も多いので、婦人用パンツ１Ｄにおいては敢えて第２のボタンホール５を隠すことはしていない。
【００８９】
図１（ｅ）に示されるように、婦人用パンツ１Ｅにおいては下前ベルト部３には持ち出しを付けていない代わりに、上前ベルト部２に４ｃｍの持ち出しを設けている。これによって、第２のボタンホール５を下前ベルト部３の端からずっと離れた位置に設けることができるので、下前ベルト部３の端にホック８を縫付けることができる。そして、対応する上前ベルト部２の裏側にメンカン７を縫付けて両者を嵌合させることによって、連続的にウエストサイズが変化する状態から容易にウエストサイズが固定された状態に切り替えられる。なお、第２のボタンホール５の長さは１．８ｃｍであるため、第２のボタンホール５は上前ベルト部２の持ち出し部分に隠されて見えない。
【００９０】
以上、いずれの変形例１Ｂ，１Ｃ，１Ｄ，１Ｅにおいても、第２のボタンホール５はハトメ穴であり、その円形部分５ａが、弾性材の弾性力によって原位置に復帰したときの移動布の中心付近に相当する位置にあるようにされている。これによって、ボタン４が取れた場合でも、第２のボタンホール５の円形部分５ａにおいて掬い縫いしてボタン４を縫付けることにより、移動布の中心付近に確実にボタン４を付け直すことができるため、ボタン４が取れた場合にボタン４を付け直す位置を探す必要がなく、容易にボタンの付け直しを行うことができる。
【００９１】
次に、本実施の形態１のウエストサイズ調節機構付衣服としての婦人用パンツ１，１Ｂ，１Ｃ，１Ｄ，１Ｅにおけるファスナーテープ移動機構について、図２及び図３を参照して説明する。なお、図２においては、上前ベルト部２に設けられるボタンホール６と取付けられるメンカン７は、図示省略されている。
【００９２】
図２に示されるように、本実施の形態１の婦人用パンツ１においては、上前裏側３４ａにタック（フラシ）３０を縦方向に設けて、このタック３０にファスナーテープＦａを縫付けている。図３に示すように、タック３０は、上前３４ａの生地を外側の折り返し部分３０ａと内側の折り返し部分３０ｂの２箇所で折り返すことによって、折り返し部分３０ａから折り返し部分３０ｂの区間で折り重なり部分を生ぜしめ、この折り重なり部分が引き延ばされることによって婦人用パンツ１のウエストサイズを調節自在とする範囲で形状変化を自在としたものである。図に示すように、この折り重なり部分はタック３０の上端で最も幅が大きく、下方に行くにしたがって小さくなり下端で消滅する。
【００９３】
図３に示すように、一方のファスナーテープＦａはタック３０の折り重なり部分の上側において、上前３４ａに縫付けられる。一方のファスナーテープＦａに沿って並ぶ複数のむしＦｂと噛み合う他方のファスナーテープＦａは、図示しない下前に縫付けられる。そして、婦人用パンツ１の前明は、各ファスナーテープＦａの複数のむしＦｂを噛み合わせて２つのファスナーテープＦａを結合するスライダーＦｃを上下動することによって開閉できるようになっている。
【００９４】
さらに、図２に示すように一方のファスナーテープＦａの上端は、上前ベルト部２の裏地の内側でスライディングテープ３５及びゴムテープ３５ａによって上前３４ａの上端に縫付けられている。スライディングテープ３５は、上前３４ａの端縁の外方向に向かって傾斜した状態で上前ベルト部２の内側に挟んで縫付けられている。ここで、上前ベルト部２には穴かがりされたボタンホール６（図示省略）が設けられるが、ボタンホール６は上前ベルト部２内に取付けられたスライディングテープ３５及びゴムテープ３５ａの一部を貫通しており、ボタンホール６の穴かがりによってスライディングテープ３５及びゴムテープ３５ａも共に縫付けられてしまう。
【００９５】
しかし、本実施の形態１の婦人用パンツ１においては、一方のファスナーテープＦａがスライディングテープ３５のみでなくゴムテープ３５ａによっても支持されているため、タック３０の折り重なり部分が引き延ばされる際には、ゴムテープ３５ａの伸縮力によって一方のファスナーテープＦａもそれにつれて移動することができる。このように、上前ベルト部２にボタンホール６を設けて穴かがりをしても一方のファスナーテープＦａの移動を妨げることがない。
【００９６】
このようにファスナーテープＦａのタック３０に縫付けられた部分は、折り重なり部分による余長分の長さの範囲内で、図３において矢印で示すように、上前３４ａの端縁の外方向に向かって、引いて移動させることができる。即ち、タック３０がファスナーテープＦａを介して上前３４ａの端縁の外側に引張られることで、タック３０の折り重なり部分が引き延ばされ、ファスナーテープＦａを上前３４ａの端縁の外方向に向かって移動させることができる。また、上前３４ａに縫付けられているスライディングテープ３５は、上前３４ａの端縁の外方向に向かって傾斜した状態で上前ベルト部２の内側に挟んで縫付けられているので、ファスナーテープＦａのタック３０への縫付け部分が上前３４ａの端縁の外方向に向かって移動することが、ゆとり方向への移動となるから、その移動を妨げることがない。
【００９７】
タック３０によれば、スライダーＦｃを上げてファスナーＦで前明を閉じた状態において、婦人用パンツ１のウエストベルトを広げる方向に外力を加えると、ファスナーテープＦａの下にタック３０が形成されている領域で、タック３０の折り重なり部分を引き延ばせる長さの範囲内で婦人用パンツ１のウエストサイズが長くなり、ウエストベルトの下部もそのサイズが広くなる。これによって、着用する人の腰周り寸法に合わせてパンツ等の腰周り寸法を移動布によって調節し、同時に着用する人の腰の下部周りの寸法をタックによってファスナーテープを適宜動かすことによって調節することができる。
【００９８】
さらに、実施の形態１にかかる婦人用パンツ１において、タック３０の内側の折り返し部分３０ｂにプリーツ加工を施しても良い。プリーツ加工を施すことによってタック３０の内側の折り返し部分３０ｂの折り目３０ｃは、より強固なものとなる。したがって、ファスナーテープＦａが上前２の端縁方向に引っ張られて、タック３０の折り重なり部分が引き延ばされた場合にも、タック３０の内側の折り返し部分３０ｂの折り目３０ｃは弛むことなく保持される。このため、タック３０の内側の折り返し部分３０ｂが弛んで外側へ飛び出してしまう不具合を防止することができる。しかもプリーツ加工を施したことによって、婦人用パンツ１を洗濯やクリーニングしても折り目３０ｃは弛むことがないため、かかる作用効果を半永久的に維持できる。
【００９９】
次に、本実施の形態１にかかるウエストサイズ調節機構付衣服の第１変形例について、図４及び図５を参照して説明する。
【０１００】
図４に示されるように、実施の形態１の第１変形例にかかるウエストサイズ調節機構付衣服１Ｌは、タック３０の内側の折り返し部分３０ｂが折り返し線（折り目）３０ｃの近傍において、折り返し線３０ｃに沿ってステッチ４０によって縫付けられているものである。したがって、ファスナーテープＦａが上前ベルト部２の端縁方向に引っ張られて、タック３０の折り重なり部分が引き延ばされた場合にも、タック３０の内側の折り返し部分３０ｂの折り目３０ｃは強固に保持される。このため、タック３０の内側の折り返し部分３０ｂが弛んで外側へ飛び出してしまう不具合をより確実に防止することができる。
【０１０１】
ここで、ステッチ４０によって縫付ける位置は折り返し線（折り目）３０ｃから１〜２ｍｍ離れた位置が好ましい。ステッチ４０を折り返し線３０ｃから余り大きく離して縫付けると、タック３０による形状変化自在な範囲が小さくなってしまい、実用上好ましくない。
【０１０２】
また、第１変形例にかかるウエストサイズ調節機構付衣服１Ｌではステッチ４０でタック３０の下端まで縫付けているが、ステッチ４０で縫付ける範囲をタックの上端から略３／４〜２／３までとして、それより下方は縫付けを省略しても同様の作用効果が得られるものと考えられる。
【０１０３】
そして、図５に示されるように、このようにして形成されたタック３０に沿ってファスナーテープＦａが縫付けられており、さらにファスナーテープＦａの上部は「く」の字形に曲がって縫付けられている。即ち、一方のファスナーテープＦａの上端は、外方向に向かって傾斜した状態で縫付けられている。このように、一方のファスナーテープＦａの上端が外方向に向かって傾斜した状態で縫付けられているため、タック３０の折り重なり部分が引き延ばされる際には、一方のファスナーテープＦａもそれにつれて移動することができる。さらに、スライディングテープが設けられていないために、上前ベルト部２にボタンホール６を設けて穴かがりをしても一方のファスナーテープＦａの移動を妨げることがない。
【０１０４】
なお、第１変形例にかかるウエストサイズ調節機構付衣服１Ｌにおいては、タック３０の内側の折り返し部分３０ｂが折り返し線（折り目）３０ｃの近傍において、折り返し線３０ｃに沿ってステッチ４０によって縫付けられている場合について説明したが、ウエストサイズ調節機構付衣服１と同様に、タック３０の内側の折り返し部分３０ｂが縫付けられていなくても良い。
【０１０５】
次に、本実施の形態１にかかるウエストサイズ調節機構付衣服の第２変形例について、図６を参照して説明する。図６（ａ）に示されるように、実施の形態１の第２変形例にかかるウエストサイズ調節機構付衣服１Ｍにおいては、タックを設ける代わりに筒状の調節布４１を上前内側に縫付けている。そして、図６（ｂ）に示されるように、第２変形例にかかるウエストサイズ調節機構付衣服１Ｍにおいては、ファスナーＦの上前側に縫付けられるファスナーテープＦａの上端が、外方向に向かって角度θで傾斜する上前ベルト部２の裏地の内側に挟んで調節布４１に縫付けられている。
【０１０６】
即ち、調節布４１に角度θで上方が開くようにファスナーテープＦａで縫付けることにより、下前ベルト部３の第２のボタンホール５から出ているボタン４と上前ベルト部２に設けられた通常のボタンホール６との掛止め状態に応じた変化量が得られる。特に、ボタン４と通常のボタンホール６との掛止め状態に応じた変化量が、調節布４１とファスナーテープＦａの縫付けで得られるから、調節布４１に角度θ＝０として平行にファスナーテープＦａを縫付けたものでは、無駄なゆとりのために着座したとき浮き上がりが生ずる可能性があるが、調節布４１に角度θで上方が開くようにファスナーテープＦａで縫付けることにより、ボタン４と通常のボタンホール６との掛止め状態に応じた変化量が得られ、上記無駄が生じない。
【０１０７】
このようにして、本実施の形態１及びその変形例にかかるウエストサイズ調節機構付衣服としての婦人用パンツにおいては、見た目は通常のパンツと変わることなく、連続的にウエストサイズを変化させることができ、ウエストサイズが変化してもファスナーテープが移動することによって、ウエスト周りに皺がよることもない。そして、ボタン４が取れた場合でも、第２のボタンホール５の円形部分５ａにおいて掬い縫いしてボタン４を縫付けることにより、移動布の中心付近に確実にボタン４を付け直すことができるため、ボタン４が取れた場合にボタン４を付け直す位置を探す必要がなく、容易にボタンの付け直しを行うことができる。
【０１０８】
次に、本実施の形態１にかかる婦人用パンツ１の製造方法について、図７乃至図１０を参照して説明する。
【０１０９】
図７（ａ）に示されるように、移動布ユニット１０の材料としては、幅２．５ｃｍ・長さ３ｃｍのテープ布１1、同じ寸法の補強用の薄く硬い芯１２、幅２．５ｃｍ・長さ７ｃｍの弾性材としてのオペロンゴム１３、幅２．５ｃｍ・長さ１１．５ｃｍの伸び止め材１４を用意する。ここで、テープ布１１と伸び止め材１４としては婦人用パンツ１の表地と同系色の裏地を用いて、伸び止め材１４の上辺・下辺はロック始末１４ａを施しておく。
【０１１０】
次に、図７（ｂ）に示されるように、テープ布１１と補強用の薄く硬い芯１２を接着剤で貼り合わせ、さらに周囲をロック縫い１１ａして縫い付けて移動布とした後、伸び止め材１４（右寄りに１．５ｃｍ分のタック１４ｂを形成しておく）、オペロンゴム１３、テープ布１１と薄く硬い芯１２を貼り合わせた移動布を重ねて、移動布１１，１２の左側に一本、右側に二本のミシンステッチ１１ｂを掛けて、一体に縫付ける。そして、移動布１１，１２の中央に直径１．５ｃｍのボタン４を縫付ける。こうして製造された移動布ユニット１０を婦人用パンツ１のベルト部に取付ける際には、オペロンゴム１３と伸び止め材１４の端を、二本のミシンステッチ１４ｃでベルト部に縫付ける。
【０１１１】
一方、図８（ａ）に示されるように、下前ベルト部３は、折り返し見返し部分３ａを含む下前ベルト表布３ｄの裏側全体に芯１５が接着剤で貼り付けられ、この芯１５をも貫通して第２ボタンホールとしてのハトメ穴５が開けられ、さらにハトメ穴５の円形部分５ａに接するように、補強芯１６が芯１５の上から接着剤で貼り付けられている。この補強芯１６と境を同じくして、下前ベルト見返し３ｂが下前ベルト表布３ｄに縫い付けられており、図８（ｂ）に示されるように、移動布ユニット１０が裏返しに、即ちボタン４が向こう側へ出るように取付けられる。
【０１１２】
具体的な手順としては、まずボタン４がハトメ穴５に嵌められて、ハトメ穴５の円形部分５ａに位置するようにセットされる。続いて、伸び止め材１４の左端が、折り返し見返し部分３ａの折り返し線３ｃを越えた部分において、ステッチ１８によって折り返し見返し部分３ａに縫付けられる。そして、右寄りに１．５ｃｍ分のタック１４ｂを形成した状態で、図８（ｃ）に示されるように、オペロンゴム１３と伸び止め材１４の端が二本のミシンステッチ１４ｃで、折り返された下前ベルト見返し３ｂに縫付けられる。
【０１１３】
そして、折り返し見返し部分３ａを折り返し線３ｃで折り返して下前ベルト見返し３ｂに縫付ければ、下前ベルト部３が完成する。これによって、ステッチ１８も、二本のミシンステッチ１４ｃも、下前ベルト部３の裏側に表れ、表からは見えないので本実施の形態１にかかる婦人用パンツ１の見栄えが良くなる。また、補強芯１６は移動布ユニット１０が引張られて弾性材１３が伸び、弾性材１３の付勢力で移動布ユニット１０が縮んだ場合に、下前ベルト部３の表側３ｄに皺がよるのを防止する役目をしている。したがって、図８（ａ）に示される以外にも、様々な貼り付け方の変形例がある。
【０１１４】
本実施の形態１にかかる婦人用パンツ１の下前ベルト部における、補強芯の変形例について、図９を参照して説明する。なお、図９（ａ）〜（ｅ）においては、下前ベルト表布３ｄの裏側に貼り付けられている芯１５は、図示省略されている。
【０１１５】
図９（ａ）に示されるように、下前ベルト部の第１の変形例３Ａにおいては、補強芯１６Ａは下前ベルト表布３ｄの裏側ではなく、下前ベルト見返し３ｂの裏側に接着剤で貼り付けられている。これによって、図８に示されるように移動布ユニット１０を下前ベルト見返し３ｂに縫付ける場合に、補強芯１６Ａをも通して縫付けられるので、より丈夫になる。図９（ｂ）に示されるように、下前ベルト部の第２の変形例３Ｂにおいては、補強芯１６Ｂは補強芯１６Ａより幅が大きくなって、下前ベルト見返し３ｂの裏側の縫い代まで覆って接着剤で貼り付けられている。
【０１１６】
また、図９（ｃ）に示されるように、下前ベルト部の第３の変形例３Ｃにおいては、補強芯１６Ｃは約２倍の幅を有しており、下前ベルト表布３ｄの裏側から下前ベルト見返し３ｂの裏側にかけて接着剤で貼り付けられている。これによって、補強の効果が倍増するとともに、移動布ユニット１０を下前ベルト見返し３ｂに縫付ける場合にも、下前ベルト表布３ｄに縫付ける場合にも、補強芯１６Ｃをも通して縫付けられるので、より丈夫になる。図９（ｄ）に示されるように、下前ベルト部の第４の変形例３Ｄにおいては、補強芯１６Ｄは補強芯１６Ｃよりさらに幅が大きくなって、下前ベルト見返し３ｂ及び下前ベルト表布３ｄの裏側の縫い代まで覆って接着剤で貼り付けられている。
【０１１７】
さらに、図９（ｅ）に示されるように、下前ベルト部の第４の変形例３Ｅにおいては、補強芯１６Ｅは、図８に示される補強芯１６より幅が大きくなって、下前ベルト表布３ｄの裏側の縫い代まで覆って接着剤で貼り付けられている。
【０１１８】
図１０は、図８に示される下前ベルト部３を表側から見たところを示しており、図１０（ａ）に示されるように、移動布ユニット１０（図示されず）の先端が折り返し見返し部分３ａの折り返し線３ｃを越えた部分において、ステッチ１８によって折り返し見返し部分３ａに縫付けられ、オペロンゴム１３と伸び止め材１４の端が二本のミシンステッチ１４ｃで、折り返された下前ベルト見返し３ｂに縫付けられる。
【０１１９】
続いて、折り返し見返し部分３ａを折り返し線３ｃで折り返して下前ベルト見返し３ｂに縫付ければ、図１０（ｂ）に示されるように、下前ベルト部３が完成する。これによって、ステッチ１８も、二本のミシンステッチ１４ｃも、下前ベルト部３の裏側に表れ、表からは見えないので本実施の形態１にかかる婦人用パンツ１の見栄えが良くなる。
【０１２０】
次に、本実施の形態１にかかる下前ベルト部３に設けられる移動布ユニットの変形例について、図１１を参照して説明する。図１１（ａ）に示されるように、本実施の形態１の第１の変形例にかかる移動布ユニット１０Ａにおいては、伸び止め材１４が移動布１１，１２及び弾性材としてのオペロンゴム１３よりも幅が狭く、かつオペロンゴム１３と移動布１１，１２が重ねられずに突き合わされて、それぞれ伸び止め材１４に縫付けられて固定されている。
【０１２１】
また、図１１（ｂ）に示されるように、本実施の形態１の第２の変形例にかかる移動布ユニット１０Ｂにおいては、やはり伸び止め材１４が移動布１１，１２及び弾性材としてのオペロンゴム１３よりも幅が狭く、移動布１１，１２とオペロンゴム１３の端同士が重ねられて縫付けられている。
【０１２２】
次に、本実施の形態１にかかるウエストサイズ調節機構付衣服の上前ベルト部及び下前ベルト部の変形例について、図１２を参照して説明する。図１２（ａ）に示されるように、本実施の形態１にかかるウエストサイズ調節機構付衣服としての婦人用パンツ１においては、上前ベルト部２及び下前ベルト部３のいずれについても、見返し部分を設けて端を折り返して二重にしてから、上前のボタンホール６を設けるとともに、下前ベルト部３に移動布ユニットを二本のステッチ１４ｃで見返し側に縫付けて、ボタン４を図示しない第２のボタンホールから向こう側に出している。
【０１２３】
これに対して、図１２（ｂ）に示されるように、本実施の形態１の変形例にかかるウエストサイズ調節機構付衣服としての婦人用パンツ１Ａにおいては、上前ベルト部２Ａ及び下前ベルト部３Ｋのいずれについても、別の生地２ａ，３ｇを接いで二重にして、上前のボタンホール６を設けるとともに、下前ベルト部３Ｋに移動布ユニットを二本のステッチ１４ｃで接いだ生地３ｇに縫付けて、ボタン４を図示しない第２のボタンホールから向こう側に出している。
【０１２４】
このように、ウエストサイズ調節機構付衣服の上前ベルト部及び下前ベルト部の作製方法には、様々なやり方があるが、いずれも二本のステッチ１４ｃが下前ベルト部の裏側にしか表れず、表からは見えないため、ウエストサイズ調節機構付衣服の見栄えを損なうことはない。
【０１２５】
そして、本実施の形態１にかかる婦人用パンツ１，１Ａ，１Ｂ，１Ｃ，１Ｄ，１Ｅにおいては、下前ベルト部３及び変形例にかかる下前ベルト部３Ａ，３Ｂ，３Ｃ，３Ｄ，３Ｅ，３Ｋのいずれにおいても、第２のボタンホール５がハトメ穴であり、その円形部分５ａが弾性材１３の弾性力によって原位置に復帰したときの移動布１１，１２の中心付近に相当する位置にあるように設定されている。これによって、ボタン４が取れた場合でも、第２のボタンホール５の円形部分５ａにおいて掬い縫いしてボタン４を縫付けることにより、移動布１１，１２の中心付近に確実にボタン４を付け直すことができる。
【０１２６】
実施の形態２
次に、本発明の実施の形態２について、図１３を参照して説明する。図１３（ａ），（ｂ）は本発明の実施の形態２にかかるウエストサイズ調節機構付衣服の下前ベルト部を表側から見たところを示す図である。なお、本発明の実施の形態２にかかるウエストサイズ調節機構付衣服の下前ベルト部以外の構造は、上記実施の形態１にかかるウエストサイズ調節機構付衣服としての婦人用パンツ１と同様であるので、同一の部分には同一の符号を付して説明を省略する。
【０１２７】
図１３（ａ）に示されるように、本実施の形態２にかかるウエストサイズ調節機構付衣服の下前ベルト部３Ｆは、上記実施の形態１にかかる下前ベルト部３とほぼ同一の構造を有している。異なるのは、移動布ユニット１０（図示されず）のオペロンゴム１３と伸び止め材１４の端を縫付ける二本のミシンステッチ１４ｃが、折り返された下前ベルト見返し３ｂでなく、下前ベルト表布３ｄに縫付けられる点である。
【０１２８】
これによって、図１３（ａ）に示されるように、下前ベルト部３Ｆの表側に二本のミシンステッチ１４ｃが表れることになるが、本実施の形態２にかかる下前ベルト部３Ｆにおいては、図１３（ｂ）に示されるように、その上からベルト通し１９が取付けられるため、二本のミシンステッチ１４ｃがベルト通し１９で隠されて見えなくなり、本実施の形態２にかかるウエストサイズ調節機構付衣服の見栄えを損なうことがない。
【０１２９】
このようにして、本実施の形態２にかかるウエストサイズ調節機構付衣服としての婦人用パンツにおいては、見た目は通常のパンツと変わることなく、連続的にウエストサイズを変化させることができ、ウエストサイズが変化してもファスナーテープが移動することによって、ウエスト周りに皺がよることもない。そして、ボタン４が取れた場合でも、第２のボタンホール５の円形部分５ａにおいて掬い縫いしてボタン４を縫付けることにより、移動布の中心付近に確実にボタン４を付け直すことができるため、ボタン４が取れた場合にボタン４を付け直す位置を探す必要がなく、容易にボタンの付け直しを行うことができる。
【０１３０】
実施の形態３
次に、本発明の実施の形態３について、図１４を参照して説明する。図１４（ａ），（ｂ），（ｃ）は本発明の実施の形態３にかかるウエストサイズ調節機構付衣服における下前ベルト部の製造方法を示す説明図である。
【０１３１】
図１４（ａ）に示されるように、本実施の形態３にかかるウエストサイズ調節機構付衣服における下前ベルト部３Ｇの構造は、図８（ａ）に示される実施の形態１にかかるウエストサイズ調節機構付衣服１における下前ベルト部３の構造とほぼ同様である。異なるのは、折り返し見返し部分３ａに貫通穴としての菊穴２０が設けられている点である。後は、図１４（ｂ）に示されるように、実施の形態１にかかる下前ベルト部３と同様に、移動布ユニット１０が裏返しに、即ちボタン４が向こう側へ出るように取付けられる。
【０１３２】
具体的な手順としては、まずボタン４がハトメ穴５に嵌められて、ハトメ穴５の円形部分５ａに位置するようにセットされる。続いて、伸び止め材１４の左端が、折り返し見返し部分３ａの折り返し線３ｃを越えた部分において、ステッチ１８によって折り返し見返し部分３ａに縫付けられる。そして、右寄りに１．５ｃｍ分のタック１４ｂを形成した状態で、図１４（ｃ）に示されるように、オペロンゴム１３と伸び止め材１４の端が二本のミシンステッチ１４ｃで、折り返された下前ベルト見返し３ｂに縫付けられる。
【０１３３】
そして、折り返し見返し部分３ａを折り返し線３ｃで折り返して下前ベルト見返し３ｂに縫付ければ、実施の形態３にかかる下前ベルト部３Ｇが完成する。このとき、折り返し見返し部分３ａに設けられた菊穴２０が、ちょうどハトメ穴５の円形部分５ａの位置に来るように設定されている。これによって、ボタン４が取れた場合でも第２のボタンホール５の円形部分５ａに相当する位置にある貫通穴としての菊穴２０を目安として、ぶち抜きで針を通してボタン４を付け直すことができるため、ボタン４がより付け易く、かつより丈夫に付けることができる。
【０１３４】
また、ステッチ１８も、二本のミシンステッチ１４ｃも、下前ベルト部３Ｇの裏側に表れ、表からは見えないので本実施の形態３にかかるウエストサイズ調節機構付衣服の見栄えが良くなる。このようにして、本実施の形態３にかかるウエストサイズ調節機構付衣服は、見た目は通常の衣服と変わることなく、見栄え良く連続的にウエストサイズを変化させることができるとともに、ボタンがとれた場合にもより容易に、かつ丈夫に付け直しをすることができる。
【０１３５】
なお、本実施の形態３においては、折り返し見返し部分３ａに設けられる貫通穴として菊穴２０を設けた場合について説明したが、貫通穴として菊穴２０の代わりに金属リングからなるリング穴を設けても良い。
【０１３６】
実施の形態４
次に、本発明の実施の形態４について、図１５及び図１６を参照して説明する。図１５（ａ），（ｂ），（ｃ）は本発明の実施の形態４にかかるウエストサイズ調節機構付衣服における下前ベルト部の製造方法を示す説明図である。図１６（ａ）は本発明の実施の形態４にかかるウエストサイズ調節機構付衣服のファスナーを開いて裏側から見たところを示す部分拡大図、（ｂ）は本発明の実施の形態４の変形例にかかるウエストサイズ調節機構付衣服のファスナーを開いて裏側から見たところを示す部分拡大図である。
【０１３７】
図１５（ａ）に示されるように、本実施の形態４にかかるウエストサイズ調節機構付衣服における下前ベルト部３Ｈの構造は、図１４（ａ）に示される実施の形態３にかかるウエストサイズ調節機構付衣服における下前ベルト部３Ｇの構造とほぼ同様である。異なるのは、第２ボタンホールとしてハトメ穴でなく、眠り穴２２が設けられている点である。後は、図１５（ｂ）に示されるように、実施の形態３にかかる下前ベルト部３Ｇと同様に、移動布ユニット１０が裏返しに、即ちボタン４が向こう側へ出るように取付けられる。
【０１３８】
具体的な手順としては、まずボタン４が眠り穴２２に嵌められて、続いて、伸び止め材１４の左端が、折り返し見返し部分３ａの折り返し線３ｃを越えた部分において、ステッチ１８によって折り返し見返し部分３ａに縫付けられる。そして、右寄りに１．５ｃｍ分のタック１４ｂを形成した状態で、図１５（ｃ）に示されるように、オペロンゴム１３と伸び止め材１４の端が二本のミシンステッチ１４ｃで、折り返された下前ベルト見返し３ｂに縫付けられる。
【０１３９】
そして、折り返し見返し部分３ａを折り返し線３ｃで折り返して下前ベルト見返し３ｂに縫付ければ、実施の形態４にかかる下前ベルト部３Ｇが完成する。このとき、折り返し見返し部分３ａに設けられた菊穴２０が、眠り穴２２の裏側で、ちょうど弾性材１３の弾性力によって原位置に復帰したときの移動布１１，１２の中心付近に相当する位置に来るように設定されている。これによって、ボタン４が取れた場合でも移動布１１，１２の中心付近に相当する位置にある貫通穴としての菊穴２０を目安として、ぶち抜きで針を通してボタン４を付け直すことができるため、ボタン４がより付け易く、かつより丈夫に付けることができる。
【０１４０】
そして、図１５（ｃ）及び図１６（ａ）に示されるように、菊穴２０も、ステッチ１８も、二本のミシンステッチ１４ｃも、下前ベルト部３Ｈの裏側に表れ、表からは見えないので本実施の形態４にかかるウエストサイズ調節機構付衣服２１Ａの見栄えが良くなる。このようにして、本実施の形態４にかかるウエストサイズ調節機構付衣服２１Ａは、見た目は通常の衣服と変わることなく、見栄え良く連続的にウエストサイズを変化させることができるとともに、ボタンがとれた場合にもより容易に、かつ丈夫に付け直しをすることができる。
【０１４１】
本実施の形態４の変形例にかかるウエストサイズ調節機構付衣服２１Ｂにおける下前ベルト部３Ｉにおいては、図１５（ａ）に示される菊穴２０の位置に、金属リングからなる貫通穴としてのリング穴２３が設けられる。その結果、図１６（ｂ）に示されるように、本実施の形態４の変形例にかかるウエストサイズ調節機構付衣服２１Ｂにおいては、リング穴２３が、眠り穴２２の裏側で、ちょうど弾性材１３の弾性力によって原位置に復帰したときの移動布１１，１２の中心付近に相当する位置に来るように設定されている。
【０１４２】
これによって、ボタン４が取れた場合でも移動布１１，１２の中心付近に相当する位置にある貫通穴としてのリング穴２３を目安として、ぶち抜きで針を通してボタン４を付け直すことができるため、ボタン４がより付け易く、かつより丈夫に付けることができる。このようにして、本実施の形態４の変形例にかかるウエストサイズ調節機構付衣服２１Ｂは、見た目は通常の衣服と変わることなく、見栄え良く連続的にウエストサイズを変化させることができるとともに、ボタンがとれた場合にもより容易に、かつ丈夫に付け直しをすることができる。
【０１４３】
実施の形態５
次に、本発明の実施の形態５について、図１７乃至図２１を参照して説明する。
【０１４４】
図１７（ａ），（ｂ），（ｃ）は本発明の実施の形態５にかかるウエストサイズ調節機構付衣服の移動布ユニットの作製方法を裏側から見て示す図である。図１８（ａ）は本発明の実施の形態５にかかるウエストサイズ調節機構付衣服の噴き出し防止テープの取付け方を示す図、（ｂ），（ｃ）は噴き出し防止テープの変形例を示す図である。図１９（ａ）は本発明の実施の形態５にかかるウエストサイズ調節機構付衣服の移動布ユニットを取付けた状態を示す図、（ｂ）はボタンの根巻きの高さを示す図である。図２０（ａ）は本発明の実施の形態５にかかるウエストサイズ調節機構付衣服の移動布ユニットと噴き出し防止テープの関係を示す図、（ｂ）はボタンの付いた移動布を弾性材の引張り力に抗して伸び止め材の長さ一杯まで移動させた状態を示す図、（ｃ）はその斜視図である。図２１（ａ）は本発明の実施の形態５にかかるウエストサイズ調節機構付衣服の噴き出し防止テープを縫付けたところを示す図、（ｂ）はボタンを第２のボタンホールから外へ出したところを示す図である。
【０１４５】
まず、図１７（ｂ）に示されるように、移動布ユニット２５の中心となるテープ布２８に補強用の薄く硬い芯２９を貼り付けた移動布２８，２９を用意する。ここで、図１７（ａ）に示される伸び止め材２７とテープ布２８としてはウエストサイズ調節機構付衣服の表地と同系色の裏地を用いて、それぞれの上辺・下辺をロック始末しておく。次に、図１７（ａ）に示されるように、オペロンゴム２６、伸び止め材２７、テープ布２８を重ねて、オペロンゴム２６と伸び止め材２７の端をミシンステッチ２６ａで仮止めする。そして、オペロンゴム２６と伸び止め材２７をテープ布２８の縫代で包んで２本のミシンステッチ２８ａを掛ける。
【０１４６】
次に、図１７（ｂ）に示されるように、補強用の薄く硬い芯２９の周囲をミシンステッチ２９ａで押えて剥がれないようにし、図１７（ｃ）に示されるように、テープ布２８の上に５ｃｍの長さの２本の噴き出し防止テープ３２をセットして、左端から１ｃｍの位置で頑丈にミシンステッチ３２ａを掛けて止める。この段階では、右端から１ｃｍの位置のミシンステッチ３２ｂはまだ掛けないでおく。
【０１４７】
次に、図１８（ａ）に示されるように、下前ベルト部３Ｊに縦方向の噴き出し防止テープ３１を、前記２本の噴き出し防止テープ３２を通すために、４本のステッチ３１ａで縫付ける。変形例として、図１８（ｂ）に示されるように、横方向の噴き出し防止テープ３２を１本としたり、図１８（ｃ）に示されるように、３本としても良い。
【０１４８】
続いて、図１９（ａ）に示されるように、図１７（ｃ）の移動布ユニット２５を下前ベルト部３Ｊにセットしてオペロンゴム２６と伸び止め材２７の端を２本ステッチ２６ｂで止め、所定位置にボタン４を縫付ける。ここで、図１９（ｂ）に示されるように、ボタン４の根巻き４ａの長さは、第２のボタンホール（ハトメ穴）５の中を左右へ移動しやすいために、０．３ｃｍ〜０．５ｃｍにする。また、第２のボタンホール（ハトメ穴）５の円形部分５ａは、ちょうど弾性材２６の弾性力によって原位置に復帰したときの移動布２８，２９の中心付近に相当する位置に来るように設定されている。
【０１４９】
次に、図２０（ａ）に示されるように、右端をまだ止めていない２本の噴き出し防止テープ３２を縦方向の噴き出し防止テープ３１の下を通す。図２０（ｂ）は、伸び止め材２７の長さ一杯までオペロンゴム２６を伸ばした状態を示す図である。これを斜視図で示すと図２０（ｃ）のようになる。後は、図２１（ａ）に示されるように、２本の噴き出し防止テープ３２を右端から１ｃｍの位置のミシンステッチ３２ｂを掛けて止め、ウエストサイズ調節機構付衣服の身頃１７にウエストベルト布３Ｊを縫い、移動布２８，２９に縫付けたボタン４を、図２１（ｂ）に示されるように第２のボタンホール５から出して、下前端ベルト布３ｅを縫えば完成である。
【０１５０】
このようにして、ボタン４に引張り力が掛かってもボタン４が縫付けられた移動布２８，２９が第２のボタンホール５から外へ出てしまう「噴き出し」を防止するために、横方向の２本の噴き出し防止テープ３２と縦方向の噴き出し防止テープ３１が設けられたウエストサイズ調節機構付衣服となる。なお、噴き出し防止テープ３１，３２の素材としては、滑りが良く丈夫なことから、片面繻子テープが好ましい。
【０１５１】
このようにして、本実施の形態５にかかるウエストサイズ調節機構付衣服としての婦人用パンツ１Ｆにおいては、見た目は通常のパンツと変わることなく、連続的にウエストサイズを変化させることができ、ウエストサイズが変化してもファスナーテープが移動することによって、ウエスト周りに皺がよることもない。また、ボタン４に引張り力が掛かってもボタン４が縫付けられた移動布２８，２９が第２のボタンホール５から外へ出てしまう噴き出しを確実に防止することができるとともに、ボタン４がとれた場合にもより容易に、かつ丈夫に付け直しをすることができる。
【０１５２】
上記各実施の形態においては、本発明のウエストサイズ調節機構付衣服を婦人用パンツに適用した場合について説明したが、本発明のウエストサイズ調節機構付衣服は衣服全般について適用できるものであり、紳士用ズボン、Ｇパン、綿パン、スカート、キュロットスカート、ワンピース等にも適用することができる。
【０１５３】
また、上記各実施の形態においては、弾性材としてオペロンゴムを所定の大きさに裁ち切ったものを用いているが、その他のゴムテープ等を用いても良い。
【０１５４】
さらに、上記各実施の形態においては、ウエストサイズの変化に伴ってファスナーテープが移動できるように、ファスナーテープを縫付けるズボン等の上前にタックを設けた例について説明したが、必ずしもウエストサイズの変化に伴ってファスナーテープが移動できる構造でなくても構わない。
【０１５５】
ウエストサイズ調節機構付衣服のその他の部分の構造、形状、数量、材質、大きさ、接続関係等についても、上記各実施の形態に限定されるものではない。
【図面の簡単な説明】
【０１５６】
【図１】図１（ａ）は本発明の実施の形態１にかかるウエストサイズ調節機構付衣服の前明を外した状態を示す部分正面図、（ｂ），（ｃ），（ｄ），（ｅ）は本発明の実施の形態１にかかるウエストサイズ調節機構付衣服の様々な変形例を示す図である。
【図２】図２は本発明の実施の形態１にかかるウエストサイズ調節機構付衣服の上前部分の構造を示す説明図である。
【図３】図３は本発明の実施の形態１にかかるウエストサイズ調節機構付衣服における上前部分に設けられたタックの構造を示す斜視図である。
【図４】図４は本発明の実施の形態１にかかるウエストサイズ調節機構付衣服の第１変形例のタック部分の構造を示す斜視図である。
【図５】図５は本発明の実施の形態１にかかるウエストサイズ調節機構付衣服の第１変形例のファスナー部分の構造を示す図である。
【図６】図６は本発明の実施の形態１にかかるウエストサイズ調節機構付衣服の第２変形例のファスナー部分の構造を示す図である。
【図７】図７（ａ）は本発明の実施の形態１にかかるウエストサイズ調節機構付衣服の移動布ユニットを作製するための部品を示す図、（ｂ）は移動布ユニットの完成状態を示す図である。
【図８】図８（ａ），（ｂ），（ｃ）は本発明の実施の形態１にかかるウエストサイズ調節機構付衣服の下前ベルト部の作製方法を裏側から見て示す図である。
【図９】図９（ａ），（ｂ），（ｃ），（ｄ），（ｅ）は本発明の実施の形態１にかかるウエストサイズ調節機構付衣服の下前ベルト部の種々の変形例を示す図である。
【図１０】図１０（ａ），（ｂ）は本発明の実施の形態１にかかるウエストサイズ調節機構付衣服の下前ベルト部を表側から見たところを示す図である。
【図１１】図１１（ａ），（ｂ）は本発明の実施の形態１にかかる下前ベルト部に設けられる移動布ユニットの変形例を示す図である。
【図１２】図１２（ａ），（ｂ）は本発明の実施の形態１にかかるウエストサイズ調節機構付衣服の前明を外した状態を裏側から見たところを示す図、（ｂ）は本発明の実施の形態１の変形例にかかるウエストサイズ調節機構付衣服の前明を外した状態を裏側から見たところを示す図である。
【図１３】図１３（ａ），（ｂ）は本発明の実施の形態２にかかるウエストサイズ調節機構付衣服の下前ベルト部を表側から見たところを示す図である。
【図１４】図１４（ａ），（ｂ），（ｃ）は本発明の実施の形態３にかかるウエストサイズ調節機構付衣服における下前ベルト部の製造方法を示す説明図である。
【図１５】図１５（ａ），（ｂ），（ｃ）は本発明の実施の形態４にかかるウエストサイズ調節機構付衣服における下前ベルト部の製造方法を示す説明図である。
【図１６】図１６（ａ）は本発明の実施の形態４にかかるウエストサイズ調節機構付衣服のファスナーを開いて裏側から見たところを示す部分拡大図、（ｂ）は本発明の実施の形態４の変形例にかかるウエストサイズ調節機構付衣服のファスナーを開いて裏側から見たところを示す部分拡大図である。
【図１７】図１７（ａ），（ｂ），（ｃ）は本発明の実施の形態５にかかるウエストサイズ調節機構付衣服の移動布ユニットの作製方法を裏側から見て示す図である。
【図１８】図１８（ａ）は本発明の実施の形態５にかかるウエストサイズ調節機構付衣服の噴き出し防止テープの取付け方を示す図、（ｂ），（ｃ）は噴き出し防止テープの変形例を示す図である。
【図１９】図１９（ａ）は本発明の実施の形態５にかかるウエストサイズ調節機構付衣服の移動布ユニットを取付けた状態を示す図、（ｂ）はボタンの根巻きの高さを示す図である。
【図２０】図２０（ａ）は本発明の実施の形態５にかかるウエストサイズ調節機構付衣服の移動布ユニットと噴き出し防止テープの関係を示す図、（ｂ）はボタンの付いた移動布を弾性材の引張り力に抗して伸び止め材の長さ一杯まで移動させた状態を示す図、（ｃ）はその斜視図である。
【図２１】図２１（ａ）は本発明の実施の形態５にかかるウエストサイズ調節機構付衣服の噴き出し防止テープを縫付けたところを示す図、（ｂ）はボタンを第２のボタンホールから外へ出したところを示す図である。
【符号の説明】
【０１５７】
１，１Ａ，１Ｂ，１Ｃ，１Ｄ，１Ｅ，１Ｌ，１Ｍ，２１Ａ，２１Ｂ，２１Ｃ  ウエストサイズ調節機構付衣服
３，３Ａ，３Ｂ，３Ｃ，３Ｄ，３Ｅ，３Ｆ，３Ｇ，３Ｈ，３Ｉ，３Ｊ，３Ｋ  下前ベルト部
４  ボタン
４ａ  根巻き
５  第２のボタンホール（ハトメ穴）
５ａ  円形部分
４，６  結合具
７  受構成体
８  鉤構成体
１１，２８  生地
１２，２９  薄く硬い芯
１１，１２，２８，２９  移動布
１３，２６  弾性材
１４，２７  伸び止め材
１６，１６Ａ，１６Ｂ，１６Ｃ，１６Ｄ，１６Ｅ  補強芯
２０  菊穴
２２  第２のボタンホール（眠り穴）
２３  リング穴
３０  タック
３１，３２  噴き出し防止テープ
４１  調節布
Ｆ  ファスナー
Ｆａ  ファスナーテープ
【図１】
2006299465.tif 000003
【図２】
2006299465.tif 000004
【図３】
2006299465.tif 000005
【図４】
2006299465.tif 000006
【図５】
2006299465.tif 000007
【図６】
2006299465.tif 000008
【図７】
2006299465.tif 000009
【図８】
2006299465.tif 000010
【図９】
2006299465.tif 000011
【図１０】
2006299465.tif 000012
【図１１】
2006299465.tif 000013
【図１２】
2006299465.tif 000014
【図１３】
2006299465.tif 000015
【図１４】
2006299465.tif 000016
【図１５】
2006299465.tif 000017
【図１６】
2006299465.tif 000018
【図１７】
2006299465.tif 000019
【図１８】
2006299465.tif 000020
【図１９】
2006299465.tif 000021
【図２０】
2006299465.tif 000022
【図２１】
2006299465.tif 000023